(57)【要約】  ネットワークノードの方法が開示される。本方法は、信号生成器シンボルレートを適用する信号生成器を使用して、２つ以上の起動信号（ＷＵＳ）を同時に送信するためのものであり、各ＷＵＳは、それぞれの無線通信デバイスの起動受信機（ＷＵＲ）による受信のためのものである。本方法は、２つ以上のＷＵＳの各々についてそれぞれのマンチェスターコーディングシンボルレートを選択することを含み、選択されたそれぞれのマンチェスターコーディングシンボルレートのすべてが、互いに異なり、選択されたそれぞれのマンチェスターコーディングシンボルレートを有するすべてのマンチェスターコードが、互いに直交する。本方法は、信号生成器と、選択されたそれぞれのマンチェスターコーディングシンボルレートのマンチェスターコードの適用とを使用して、２つ以上のＷＵＳの各々を生成することと、ＷＵＳメッセージ中での送信のために２つ以上のＷＵＳを多重化することとをも含む。対応する構成、ネットワークノードおよびコンピュータプログラム製品、ならびに無線通信デバイスについての対応するものも開示される。【選択図】図２
2020533848.tif 000002
【特許請求の範囲】
【請求項１】
信号生成器シンボルレートを適用する信号生成器を使用して、２つ以上の起動信号（ＷＵＳ）を同時に送信するための、ネットワークノードの方法であって、
各ＷＵＳが、それぞれの無線通信デバイスの起動受信機（ＷＵＲ）による受信のためのものであり、
前記方法は、
前記２つ以上のＷＵＳの各々についてそれぞれのマンチェスターコーディングシンボルレートを選択すること（２１０）であって、前記選択されたそれぞれのマンチェスターコーディングシンボルレートのすべてが、互いに異なり、前記選択されたそれぞれのマンチェスターコーディングシンボルレートを有するすべてのマンチェスターコードが、互いに直交する、それぞれのマンチェスターコーディングシンボルレートを選択すること（２１０）と、
前記信号生成器と、前記選択されたそれぞれのマンチェスターコーディングシンボルレートのマンチェスターコードの適用とを使用して、前記２つ以上のＷＵＳの各々を生成すること（２２０）と、
ＷＵＳメッセージ中での送信のために前記２つ以上のＷＵＳを多重化すること（２３０）と
を含む、方法。
【請求項２】
前記それぞれのマンチェスターコーディングシンボルレートを選択することが、前記選択されたそれぞれのマンチェスターコーディングシンボルレートのペアを２のｎ乗の係数だけ異ならせることを含み、ここでｎが整数である、請求項１に記載の方法。
【請求項３】
前記それぞれのマンチェスターコーディングシンボルレートを選択することが、前記選択されたそれぞれのマンチェスターコーディングシンボルレートのすべてを前記信号生成器シンボルレートに２のｋ乗の係数で関係付けされることを含み、ここでｋが整数である、請求項１または２に記載の方法。
【請求項４】
前記２つ以上のＷＵＳの各々を生成することは、より低いそれぞれのマンチェスターコーディングシンボルレートのＷＵＳがマンチェスターコーディングシンボル境界を有するときはいつでも、前記２つ以上のＷＵＳの各々がマンチェスターコーディングシンボル境界を有するように、前記２つ以上のＷＵＳを互いと時間整合すること（２２１）を含む、請求項１から３のいずれか一項に記載の方法。
【請求項５】
前記２つ以上のＷＵＳの各々を生成することは、前記選択されたそれぞれのマンチェスターコーディングシンボルレートが前記信号生成器シンボルレートよりも低いとき、前記ＷＵＳのシンボルに前記マンチェスターコードを適用することと、結果を前記信号生成器に入力することとを含む、請求項１から４のいずれか一項に記載の方法。
【請求項６】
前記２つ以上のＷＵＳの各々を生成することは、前記選択されたそれぞれのマンチェスターコーディングシンボルレートが、前記信号生成器シンボルレートを２のｍ乗で除算したものに等しく、ここでｍが正の整数である、とき、結果を前記信号生成器に入力する前に、２のｍ乗の同一のマンチェスターコーディングされたシンボルを作り出すために、前記マンチェスターコーディングされたシンボルの各々を繰り返すことをさらに含む、請求項５に記載の方法。
【請求項７】
前記２つ以上のＷＵＳの各々を生成することが、前記ＷＵＳのシンボルに基づいて、前記信号生成器からの出力に前記マンチェスターコードをオンオフキーイング様式で適用することを含む、請求項１から６のいずれか一項に記載の方法。
【請求項８】
前記２つ以上のＷＵＳの各々について前記それぞれのマンチェスターコーディングシンボルレートを選択することは、第１のＷＵＳのそれぞれの無線通信デバイスに関連するチャネル状態が、第２のＷＵＳのそれぞれの無線通信デバイスに関連するチャネル状態よりもロバストな送信を必要とするとき、前記第１のＷＵＳのために、第２のマンチェスターコーディングシンボルレートよりも低い第１のマンチェスターコーディングシンボルレートを選択し、前記第２のＷＵＳのために第２のマンチェスターコーディングシンボルレートを選択すること（２１１）を含む、請求項１から７のいずれか一項に記載の方法。
【請求項９】
前記２つ以上のＷＵＳの各々を生成することが、前記マンチェスターコードの適用の前に、前記２つ以上のＷＵＳのうちの少なくとも１つにそれぞれの前方誤り訂正コードを適用すること（２２２）を含む、請求項１から８のいずれか一項に記載の方法。
【請求項１０】
前記それぞれの前方誤り訂正コードのコーディングレートを選択すること（２１２）であって、前記それぞれの前方誤り訂正コードの前記選択されたコーディングレートに、前記選択されたそれぞれのマンチェスターコーディングシンボルレートを乗算したものが、望ましいＷＵＳデータレートの使用を可能にするように、前記それぞれの前方誤り訂正コードのコーディングレートを選択する（２１２）ことをさらに含む、請求項９に記載の方法。
【請求項１１】
送信のためのＷＵＳパケットを生成すること（２４０）をさらに含み、前記ＷＵＳパケットが、前記それぞれの無線通信デバイスのすべてによる時間同期のための第１の部分（１２１０）と、前記多重化された２つ以上のＷＵＳを含む第２の部分（１２３０）とを備える、請求項１から１０のいずれか一項に記載の方法。
【請求項１２】
前記２つ以上のＷＵＳの同時送信のためのパケット（１２００ｂ）を準備することをさらに含み、各ＷＵＳが、メッセージ（１２３０ｂ、１２３０ｃ、１２３０ｄ）と、前記メッセージの対象とする受信機を示すプリペンドされたアドレスフィールド（１２２５ｂ、１２２５ｃ、１２２５ｄ）とを備え、前記ＷＵＳメッセージが前記パケットを備え、準備することは、
前記多重化すること（２３０ａ）の一部として、少なくとも部分的に互いに重複するように時間的に前記２つ以上のＷＵＳを編成することであって、前記２つ以上のＷＵＳを編成することが、時間的に前記アドレスフィールドをスタッガすることを含む、前記２つ以上のＷＵＳを編成すること（２３０ａ）
を含む、請求項１から１１のいずれか一項に記載の方法。
【請求項１３】
前記多重化された２つ以上のＷＵＳに、共通の同期部分（１２１０ｂ）をプリペンドすること（２４０ａ）をさらに含む、請求項１２に記載の方法。
【請求項１４】
前記対象とする受信機をアドレス指定する、前記パケットを送信すること（２５０ａ）をさらに含む、請求項１２または１３に記載の方法。
【請求項１５】
前記２つ以上のＷＵＳの各々が、オンオフキーイング（ＯＯＫ）またはバイナリ周波数シフトキーイング（ＢＦＳＫ）の適用によって生成される、請求項１２から１４のいずれか一項に記載の方法。
【請求項１６】
前記選択されたそれぞれのマンチェスターコーディングシンボルレートが、前記アドレスフィールドと前記メッセージとに適用される、請求項１２から１５のいずれか一項に記載の方法。
【請求項１７】
時間的に前記アドレスフィールドをスタッガすることが、前記選択されたそれぞれのマンチェスターコーディングシンボルレートのうちの最も低いマンチェスターコーディングシンボルレートの適用によって生成された、前記ＷＵＳの前記アドレスフィールド（１２２５ｂ）で開始することを含む、請求項１６に記載の方法。
【請求項１８】
時間的に前記アドレスフィールドをスタッガすることが、前記選択されたそれぞれのマンチェスターコーディングシンボルレートの昇順に対応する順序で、時間的に前記アドレスフィールドをスタッガすることを含む、請求項１７に記載の方法。
【請求項１９】
信号生成器シンボルレートを適用する信号生成器を使用して、２つ以上の起動信号（ＷＵＳ）を同時に送信するための、ネットワークノードの方法であって、
各ＷＵＳが、それぞれの無線通信デバイスの起動受信機（ＷＵＲ）による受信のためのものであり、
前記方法は、
前記２つ以上のＷＵＳのうちの少なくとも１つについてそれぞれのマンチェスターコーディングシンボルレートを選択すること（２１０）であって、前記選択されたそれぞれのマンチェスターコーディングシンボルレートのすべてが、互いに異なり、前記選択されたそれぞれのマンチェスターコーディングシンボルレートを有するすべてのマンチェスターコードが、互いに直交する、それぞれのマンチェスターコーディングシンボルレートを選択すること（２１０）と、
前記信号生成器と、前記選択されたそれぞれのマンチェスターコーディングシンボルレートのマンチェスターコードの適用とを使用して、１つまたは複数のＷＵＳを生成すること（２２０）と、
オンオフキーイングと前記信号生成器とを使用して、マンチェスターコーディングされていないＷＵＳを生成することと、
ＷＵＳメッセージ中での送信のために、前記マンチェスターコーディングされていないＷＵＳと、前記少なくとも１つのマンチェスターコーディングされたＷＵＳを多重化することと
を含む、方法。
【請求項２０】
各ＷＵＳが、前記ＷＵＲによる前記ＷＵＳの検出に応答して前記それぞれの無線通信デバイスのメイン受信機を起動するためのものである、請求項１から１９のいずれか一項に記載の方法。
【請求項２１】
メイン受信機をも備える無線通信デバイスに備えられるように設定された起動受信機（ＷＵＲ）の方法であって、
前記無線通信デバイスが、ネットワークノードから、２つ以上の多重化された起動信号（ＷＵＳ）を備えるＷＵＳメッセージを受信するように設定され、前記２つ以上の多重化されたＷＵＳのうちの１つである特定のＷＵＳが、前記無線通信デバイスの前記メイン受信機を起動するためのものであり、
前記２つ以上のＷＵＳの各々が、選択されたそれぞれのマンチェスターコーディングシンボルレートのマンチェスターコードによって符号化され、前記選択されたそれぞれのマンチェスターコーディングシンボルレートのすべてが、互いに異なり、前記選択されたそれぞれのマンチェスターコーディングシンボルレートを有するすべてのマンチェスターコードが、互いに直交し、
前記方法は、
前記ＷＵＳメッセージを受信すること（６１０）と、
前記選択されたそれぞれのマンチェスターコーディングシンボルレートのうちのどれを適用すべきかを決定すること（６２０）と、
前記決定されたマンチェスターコーディングシンボルレートを使用して前記ＷＵＳメッセージを復調すること（６３０）と、
前記特定のＷＵＳが検出されたかどうかを決定すること（６４０）と、
前記特定のＷＵＳの検出に応答して前記メイン受信機を起動すること（６５０）と
を含む、方法。
【請求項２２】
前記特定のＷＵＳが、前記マンチェスターコードの適用の前に、それぞれの前方誤り訂正コードによって符号化され、前記方法が、
前記それぞれの前方誤り訂正コードの１つまたは複数のパラメータを決定すること（６２５）と、
前記ＷＵＳメッセージを復調した後に、前記決定されたパラメータに基づいて前記ＷＵＳメッセージを前方誤り訂正復号すること（６３５）と
をさらに含む、請求項２１に記載の方法。
【請求項２３】
前記ＷＵＳメッセージがＷＵＳパケット中に備えられ、前記ＷＵＳパケットが、前記無線通信デバイスによる時間同期（６１５）のための第１の部分（１２１０）と、前記ＷＵＳメッセージを備える第２の部分（１２３０）とを備える、請求項２１または２２に記載の方法。
【請求項２４】
同時に送信された前記２つ以上の多重化されたＷＵＳを備える受信されたパケット（１２２５ｂ）を処理することであって、各ＷＵＳが、メッセージ（１２３０ｂ、１２３０ｃ、１２３０ｄ）と、前記メッセージの対象とする受信機を示すプリペンドされたアドレスフィールド（１２２５ｂ、１２２５ｃ、１２２５ｄ）とを備え、前記２つ以上のＷＵＳが少なくとも部分的に時間的に互いに重複し、前記アドレスフィールドが時間的にスタッガされ、前記ＷＵＳメッセージが前記パケットを備え、
前記選択されたそれぞれのマンチェスターコーディングシンボルレートのうちのどれを適用すべきかを決定すること（６２０）は、前記アドレスフィールドのうちの第１のアドレスフィールド（１２２５ｂ）について、前記第１のアドレスフィールドの前記対象とする受信機が前記ＷＵＲであるかどうかを決定すること（６４０ａ）を含み、
前記ＷＵＳメッセージを復調すること（６３０）は、前記第１のアドレスフィールドの前記対象とする受信機が前記ＷＵＲであるとき、前記第１のアドレスフィールドを備える前記２つ以上のＷＵＳのうちの第１のＷＵＳを復調すること（６３０ａ）を含む、
受信されたパケット（１２２５ｂ）を処理することをさらに含む、請求項２１から２３のいずれか一項に記載の方法。
【請求項２５】
前記選択されたそれぞれのマンチェスターコーディングシンボルレートのうちのどれを適用すべきかを決定すること（６２０）は、前記第１のアドレスフィールドの前記対象とする受信機が前記ＷＵＲでないとき、前記アドレスフィールドのうちの第２のアドレスフィールド（１２２５ｃ、１２２５ｄ）について、前記第２のアドレスフィールドの前記対象とする受信機が前記ＷＵＲであるかどうかを決定すること（６４０ａ）をさらに含み、
前記ＷＵＳメッセージを復調すること（６３０）は、前記第２のアドレスフィールドの前記対象とする受信機が前記ＷＵＲであるとき、前記第２のアドレスフィールドを備える前記２つ以上のＷＵＳのうちの第２のＷＵＳを復調すること（６３０ａ）を含む、
請求項２４に記載の方法。
【請求項２６】
前記アドレスフィールドが、時間的にスタッガされ、前記それぞれのマンチェスターコーディングシンボルレートのうちの最も低いマンチェスターコーディングシンボルレートを有する前記ＷＵＳの前記アドレスフィールドで開始し、前記方法が、
前記第１のＷＵＳのマンチェスターコーディングシンボルレートよりも高いマンチェスターコーディングシンボルレートとして、前記第２のＷＵＳのマンチェスターコーディングシンボルレートを識別すること（６２１ａ）と
前記第２のアドレスフィールドの前記対象とする受信機が前記ＷＵＲであるかどうかを決定するために、前記第２のＷＵＳの前記識別されたマンチェスターコーディングシンボルレートを使用することと
をさらに含む、請求項２５に記載の方法。
【請求項２７】
前記受信されたパケットが、前記多重化された２つ以上のＷＵＳにプリペンドされた共通の同期部分（１２１０ｂ）をさらに備え、前記方法が、
前記共通の同期部分から前記第１のＷＵＳの前記マンチェスターコーディングシンボルレートを識別すること（６２０ａ）と、
前記第１のアドレスフィールドの前記対象とする受信機が前記ＷＵＲであるかどうかを決定するために、前記第１のＷＵＳの前記識別されたマンチェスターコーディングシンボルレートを使用することと
をさらに含む、請求項２６に記載の方法。
【請求項２８】
プログラム命令を備えるコンピュータプログラムが格納された、非一時的コンピュータ可読媒体を備えるコンピュータプログラム製品であって、前記コンピュータプログラムは、データ処理ユニットにロード可能であり、前記コンピュータプログラムが前記データ処理ユニットによって実行させられたとき、請求項１から２７のいずれか一項に記載の方法の実行を引き起こすように設定された、コンピュータプログラム製品。
【請求項２９】
信号生成器シンボルレートを適用するように設定された信号生成器を使用した、２つ以上の起動信号（ＷＵＳ）の同時送信のための、ネットワークノードのための構成であって、
各ＷＵＳが、それぞれの無線通信デバイスの起動受信機（ＷＵＲ）による受信のためのものであり、
前記構成は、
前記２つ以上のＷＵＳの各々についてのそれぞれのマンチェスターコーディングシンボルレートの選択であって、前記選択されたそれぞれのマンチェスターコーディングシンボルレートのすべてが、互いに異なり、前記選択されたそれぞれのマンチェスターコーディングシンボルレートを有するすべてのマンチェスターコードが、互いに直交する、それぞれのマンチェスターコーディングシンボルレートの選択と、
前記信号生成器と、前記選択されたそれぞれのマンチェスターコーディングシンボルレートのマンチェスターコードの適用とを使用した、前記２つ以上のＷＵＳの各々の生成と、
ＷＵＳメッセージ中での送信のための前記２つ以上のＷＵＳの多重化と
を引き起こすように設定されたコントローラ（７００）を備える、構成。
【請求項３０】
前記コントローラは、前記選択されたそれぞれのマンチェスターコーディングシンボルレートのペアが２のｎ乗の係数だけ異なることを引き起こすことによって、前記それぞれのマンチェスターコーディングシンボルレートの前記選択を引き起こすように設定され、ここでｎが整数である、請求項２９に記載の構成。
【請求項３１】
前記コントローラは、前記選択されたそれぞれのマンチェスターコーディングシンボルレートのすべてが、前記信号生成器シンボルレートに２のｋ乗の係数で関係付けされることを引き起こすことによって、前記それぞれのマンチェスターコーディングシンボルレートの前記選択を引き起こすように設定され、ここでｋが整数である、請求項２９または３０に記載の構成。
【請求項３２】
前記コントローラは、より低いそれぞれのマンチェスターコーディングシンボルレートのＷＵＳがマンチェスターコーディングシンボル境界を有するときはいつでも、前記２つ以上のＷＵＳの各々がマンチェスターコーディングシンボル境界を有するような、前記２つ以上のＷＵＳの互いとの時間整合を引き起こすことによって、前記２つ以上のＷＵＳの各々の前記生成を引き起こすように設定された、請求項２９から３１のいずれか一項に記載の構成。
【請求項３３】
前記コントローラは、前記選択されたそれぞれのマンチェスターコーディングシンボルレートが前記信号生成器シンボルレートよりも低いとき、前記ＷＵＳのシンボルへの前記マンチェスターコードの適用と、結果を前記信号生成器に入力することとを引き起こすことによって、前記２つ以上のＷＵＳの各々の前記生成を引き起こすように設定された、請求項２９から３２のいずれか一項に記載の構成。
【請求項３４】
前記コントローラは、前記選択されたそれぞれのマンチェスターコーディングシンボルレートが、前記信号生成器シンボルレートを２のｍ乗で除算したものに等しく、ここでｍが正の整数である、とき、結果を前記信号生成器に入力する前に、２のｍ乗の同一のマンチェスターコーディングされたシンボルを作り出すために、前記マンチェスターコーディングされたシンボルの各々の繰返しをさらに引き起こすことによって、前記２つ以上のＷＵＳの各々の前記生成を引き起こすように設定された、請求項３１に記載の構成。
【請求項３５】
前記コントローラは、前記ＷＵＳのシンボルに基づく、前記信号生成器からの出力への前記マンチェスターコードのオンオフキーイング様式での適用を引き起こすことによって、前記２つ以上のＷＵＳの各々の前記生成を引き起こすように設定された、請求項２９から３４のいずれか一項に記載の構成。
【請求項３６】
前記コントローラは、第１のＷＵＳのための第１のマンチェスターコーディングシンボルレートの選択と、第２のＷＵＳのための第２のマンチェスターコーディングシンボルレートの選択とを引き起こすことによって、前記２つ以上のＷＵＳの各々についての前記それぞれのマンチェスターコーディングシンボルレートの前記選択を引き起こすように設定され、前記第１のＷＵＳの前記それぞれの無線通信デバイスに関連するチャネル状態が、前記第２のＷＵＳの前記それぞれの無線通信デバイスに関連するチャネル状態よりもロバストな送信を必要とするとき、前記第１のマンチェスターコーディングシンボルレートが、前記第２のマンチェスターコーディングシンボルレートよりも低い、請求項２９から３５のいずれか一項に記載の構成。
【請求項３７】
前記コントローラは、前記マンチェスターコードの適用の前の、前記２つ以上のＷＵＳのうちの少なくとも１つへのそれぞれの前方誤り訂正コードの適用を引き起こすことによって、前記２つ以上のＷＵＳの各々の前記生成を引き起こすように設定された、請求項２９から３６のいずれか一項に記載の構成。
【請求項３８】
前記コントローラは、前記それぞれの前方誤り訂正コードの前記選択されたコーディングレートに、前記選択されたそれぞれのマンチェスターコーディングシンボルレートを乗算したものが、望ましいＷＵＳデータレートの使用を可能にするように、前記それぞれの前方誤り訂正コードのコーディングレートの選択を引き起こすようにさらに設定された、請求項３７に記載の構成。
【請求項３９】
前記コントローラは、送信のためのＷＵＳパケットの生成を引き起こすようにさらに設定され、前記ＷＵＳパケットが、前記それぞれの無線通信デバイスのすべてによる時間同期のための第１の部分（１２１０）と、前記多重化された２つ以上のＷＵＳを含む第２の部分（１２３０）とを備える、請求項２９から３８のいずれか一項に記載の構成。
【請求項４０】
前記２つ以上のＷＵＳの同時送信のためのパケット（１２００ｂ）を準備するための装置を備え、各ＷＵＳが、メッセージ（１２３０ｂ、１２３０ｃ、１２３０ｄ）と、前記メッセージの対象とする受信機を示すプリペンドされたアドレスフィールド（１２２５ｂ、１２２５ｃ、１２２５ｄ）とを備え、前記ＷＵＳメッセージが前記パケットを備え、前記装置は、
前記多重化の一部として、少なくとも部分的に互いに重複するように時間的に前記２つ以上のＷＵＳを編成することであって、前記２つ以上のＷＵＳを編成することが、時間的に前記アドレスフィールドをスタッガすることを含む、前記２つ以上のＷＵＳを編成すること
を引き起こすようにさらに設定された前記コントローラ（７００）を備える、請求項２９から３９のいずれか一項に記載の構成。
【請求項４１】
前記コントローラが、前記多重化された２つ以上のＷＵＳに、共通の同期部分（１２１０ｂ）をプリペンドすることを引き起こすようにさらに適応された、請求項４０に記載の構成。
【請求項４２】
前記コントローラが、前記対象とする受信機をアドレス指定する、前記パケットの送信を引き起こすようにさらに適応された、請求項４０または４１に記載の構成。
【請求項４３】
前記コントローラが、オンオフキーイング（ＯＯＫ）またはバイナリ周波数シフトキーイング（ＢＦＳＫ）の適用による、前記２つ以上のＷＵＳの各々の生成を引き起こすようにさらに適応された、請求項４０から４２のいずれか一項に記載の構成。
【請求項４４】
前記コントローラは、
前記選択されたそれぞれのマンチェスターコーディングシンボルレートが、前記アドレスフィールドと前記メッセージとに適用されること
を引き起こすようにさらに適応された、請求項４０から４３のいずれか一項に記載の構成。
【請求項４５】
時間的に前記アドレスフィールドをスタッガすることが、前記選択されたそれぞれのマンチェスターコーディングシンボルレートのうちの最も低いマンチェスターコーディングシンボルレートの適用によって生成された、前記ＷＵＳの前記アドレスフィールド（１２２５ｂ）で開始することを含む、請求項４４に記載の構成。
【請求項４６】
時間的に前記アドレスフィールドをスタッガすることが、前記選択されたそれぞれのマンチェスターコーディングシンボルレートの昇順に対応する順序で、時間的に前記アドレスフィールドをスタッガすることを含む、請求項４５に記載の構成。
【請求項４７】
信号生成器シンボルレートを適用するように設定された信号生成器を使用した、２つ以上の起動信号（ＷＵＳ）の同時送信のための、ネットワークノードのための構成であって、
各ＷＵＳが、それぞれの無線通信デバイスの起動受信機（ＷＵＲ）による受信のためのものであり、
前記構成は、
前記２つ以上のＷＵＳのうちの少なくとも１つについてのそれぞれのマンチェスターコーディングシンボルレートの選択であって、前記選択されたそれぞれのマンチェスターコーディングシンボルレートのすべてが、互いに異なり、前記選択されたそれぞれのマンチェスターコーディングシンボルレートを有するすべてのマンチェスターコードが、互いに直交する、それぞれのマンチェスターコーディングシンボルレートの選択と、
前記信号生成器と、前記選択されたそれぞれのマンチェスターコーディングシンボルレートのマンチェスターコードの適用とを使用した、１つまたは複数のＷＵＳの生成と、
オンオフキーイングと前記信号生成器とを使用した、マンチェスターコーディングされていないＷＵＳの生成と、
ＷＵＳメッセージ中での送信のための、前記マンチェスターコーディングされていないＷＵＳとの前記少なくとも１つのマンチェスターコーディングされたＷＵＳの多重化と
を引き起こすように設定されたコントローラ（７００）を備える、構成。
【請求項４８】
各ＷＵＳが、前記ＷＵＲによる前記ＷＵＳの検出に応答して前記それぞれの無線通信デバイスのメイン受信機を起動するためのものである、請求項２９から４７のいずれか一項に記載の構成。
【請求項４９】
前記信号生成器が、ＯＦＤＭ信号生成器またはバイナリ周波数シフトキーイング（ＢＦＳＫ）信号生成器である、請求項２９から４８のいずれか一項に記載の構成。
【請求項５０】
請求項２９から４９のいずれか一項に記載の構成を備える、ネットワークノード。
【請求項５１】
メイン受信機をも備える無線通信デバイスに備えられるように設定された起動受信機（ＷＵＲ）のための構成であって、
前記無線通信デバイスが、ネットワークノードから、２つ以上の多重化された起動信号（ＷＵＳ）を備えるＷＵＳメッセージを受信するように設定され、前記２つ以上の多重化されたＷＵＳのうちの１つである特定のＷＵＳが、前記無線通信デバイスの前記メイン受信機を起動するためのものであり、
前記２つ以上のＷＵＳの各々が、選択されたそれぞれのマンチェスターコーディングシンボルレートのマンチェスターコードによって符号化され、前記選択されたそれぞれのマンチェスターコーディングシンボルレートのすべてが、互いに異なり、前記選択されたそれぞれのマンチェスターコーディングシンボルレートを有するすべてのマンチェスターコードが、互いに直交し、
前記構成は、
前記ＷＵＳメッセージの受信と、
前記選択されたそれぞれのマンチェスターコーディングシンボルレートのうちのどれを適用すべきかの決定と、
前記決定されたマンチェスターコーディングシンボルレートを使用した、前記ＷＵＳメッセージの復調と、
前記特定のＷＵＳが検出されたかどうかの決定と、
前記特定のＷＵＳの検出に応答する前記メイン受信機の起動と
を引き起こすように設定されたコントローラ（９００ａ、９００ｂ）を備える、構成。
【請求項５２】
前記特定のＷＵＳが、前記マンチェスターコードの適用の前に、それぞれの前方誤り訂正コードによって符号化され、前記コントローラが、
前記それぞれの前方誤り訂正コードのパラメータの決定と、
前記ＷＵＳメッセージを復調した後の、前記決定されたパラメータに基づく前記ＷＵＳメッセージの前方誤り訂正復号と
を引き起こすようにさらに設定された、請求項５１に記載の構成。
【請求項５３】
前記ＷＵＳメッセージがＷＵＳパケット中に備えられ、前記ＷＵＳパケットが、前記無線通信デバイスによる時間同期のための第１の部分（１２１０）と、前記ＷＵＳメッセージを備える第２の部分（１２３０）とを備える、請求項５１または５２に記載の構成。
【請求項５４】
同時に送信された前記２つ以上の多重化されたＷＵＳを備える受信されたパケット（１２２５ｂ）を処理するための装置を備え、各ＷＵＳが、メッセージ（１２３０ｂ、１２３０ｃ、１２３０ｄ）と、前記メッセージの対象とする受信機を示すプリペンドされたアドレスフィールド（１２２５ｂ、１２２５ｃ、１２２５ｄ）とを備え、前記２つ以上のＷＵＳが少なくとも部分的に時間的に互いに重複し、前記アドレスフィールドが時間的にスタッガされ、前記ＷＵＳメッセージが前記パケットを備え、前記装置は、
前記アドレスフィールドのうちの第１のアドレスフィールド（１２２５ｂ）について、前記第１のアドレスフィールドの前記対象とする受信機が前記ＷＵＲであるかどうかの決定を引き起こすことによる、前記選択されたそれぞれのマンチェスターコーディングシンボルレートのうちのどれを適用すべきかの前記決定と、
前記第１のアドレスフィールドの前記対象とする受信機が前記ＷＵＲであることに応答して、前記第１のアドレスフィールドを備える前記２つ以上のＷＵＳのうちの第１のＷＵＳの復調を引き起こすことによる、前記ＷＵＳメッセージの前記復調と
を引き起こすように設定された前記コントローラを備える、請求項５１から５３のいずれか一項に記載の構成。
【請求項５５】
前記コントローラは、
前記第１のアドレスフィールドの前記対象とする受信機が前記ＷＵＲでないことに応答して、前記アドレスフィールドのうちの第２のアドレスフィールド（１２２５ｃ、１２２５ｄ）について、前記第２のアドレスフィールドの前記対象とする受信機が前記ＷＵＲであるかどうかの決定を引き起こすことによる、前記選択されたそれぞれのマンチェスターコーディングシンボルレートのうちのどれを適用すべきかの前記決定と、
前記第２のアドレスフィールドの前記対象とする受信機が前記ＷＵＲであることに応答して、前記第２のアドレスフィールドを備える前記２つ以上のＷＵＳのうちの第２のＷＵＳの復調を引き起こすことによる、前記ＷＵＳメッセージの前記復調と
を引き起こすようにさらに適応された、請求項５４に記載の構成。
【請求項５６】
前記アドレスフィールドが、時間的にスタッガされ、前記それぞれのマンチェスターコーディングシンボルレートのうちの最も低いマンチェスターコーディングシンボルレートを有する前記ＷＵＳの前記アドレスフィールドで開始し、前記コントローラは、
前記第１のＷＵＳのマンチェスターコーディングシンボルレートよりも高いマンチェスターコーディングシンボルレートとしての、前記第２のＷＵＳのマンチェスターコーディングシンボルレートの識別と、
前記第２のアドレスフィールドの前記対象とする受信機が前記ＷＵＲであるかどうかの前記決定のために、前記第２のＷＵＳの前記識別されたマンチェスターコーディングシンボルレートを使用することと
を引き起こすようにさらに適応された、請求項５５に記載の構成。
【請求項５７】
前記受信されたパケットが、前記多重化された２つ以上のＷＵＳにプリペンドされた共通の同期部分（１２１０ｂ）をさらに備え、前記コントローラは、
前記共通の同期部分からの前記第１のＷＵＳの前記マンチェスターコーディングシンボルレートの識別と、
前記第１のアドレスフィールドの前記対象とする受信機が前記ＷＵＲであるかどうかの前記決定のために、前記第１のＷＵＳの前記識別されたマンチェスターコーディングシンボルレートを使用することと
を引き起こすようにさらに適応された、請求項５６に記載の構成。
【請求項５８】
請求項５１から５７のいずれか一項に記載の構成を備える、無線通信デバイス。
【発明の詳細な説明】
【技術分野】
【０００１】
本開示は、一般に無線通信の分野に関する。より詳細には、本開示は、無線通信システムにおける起動信号（ｗａｋｅ−ｕｐ  ｓｉｇｎａｌ）の送信に関する。
【背景技術】
【０００２】
起動受信機（ＷＵＲ：ｗａｋｅ−ｕｐ  ｒｅｃｅｉｖｅｒ、起動無線機（ｗａｋｅ−ｕｐ  ｒａｄｉｏ）と呼ばれることがある）は、無線通信受信機における電力消費の著しい低減を与える。ＷＵＲ概念の一態様は、ＷＵＲが、起動信号（ＷＵＳ）の存在を検出することが可能である必要があるにすぎず、ＷＵＳ以外にデータまたは他の制御シグナリングの受信のために使用されないことがあるので、ＷＵＲが非常に緩和された（ｒｅｌａｘｅｄ）アーキテクチャに基づき得ることである。
【０００３】
ＩＥＥＥ８０２．１１ｂａと称する、米国電気電子技術者協会（ＩＥＥＥ）８０２．１１タスクグループ（ＴＧ）における進行中のアクティビティは、電力消費を著しく低減するためにメインＩＥＥＥ８０２．１１無線機に対するコンパニオン無線機として使用されるべきであるＷＵＲについて物理（ＰＨＹ）レイヤおよび媒体アクセス制御（ＭＡＣ）レイヤの規格化を目標とする。
【０００４】
ＷＵＳの生成の可能性は、逆高速フーリエ変換（ＩＦＦＴ）を使用することであり、なぜなら、そのような機能ブロックが、多くの送信機、たとえば、たとえばＩＥＥＥ８０２．１１ａ／ｇ／ｎ／ａｃをサポートするＷｉ−Ｆｉ送信機においてすでに利用可能であるからである。オンオフキーイング（ＯＯＫ）を使用するＷＵＳの生成に対する１つの例示的な手法は、ＩＦＦＴの周波数範囲の中心において１３個のサブキャリアを使用すること、オンを表すために好適な信号でそれらのサブキャリアをポピュレートすること、およびオフを表すためにこれらのサブキャリア上でまったく何も送信しないことである。典例型的な例では、ＩＦＦＴは、６４点を有し、２０ＭＨｚのサンプリングレートにおいて動作している。ただ通常の直交周波数分割多重（ＯＦＤＭ）に関しては、８０２．１１ａ／ｇ／ｎ／ａｃにおいて使用される正規ＯＦＤＭシンボル持続時間と同じ持続時間およびフォーマットを有するために、ＩＦＦＴ動作の後にサイクリックプレフィックス（ＣＰ）が追加され得る（したがって、ＷＵＳの最初にレガシープリアンブルをプリペンドすることによってレガシー局をスプーフィングすることが可能であり得る）。
【０００５】
たとえば、各ＷＵＳが単一のデバイスを対象とし、いくつかのデバイスを同時的に起動することが望ましいとき、１つより多くのＷＵＳを同時に送信することが望ましいだろう。たとえば、ユーザデータとＷＵＳの両方のために同じ周波数チャネルが使用されるとき、その場合、ＷＵＳの送信は、ユーザデータのために利用可能な送信時間を低減するので、１つより多くのデバイスを同時に起動したいという要望が生じることがある。
【０００６】
たとえば周波数分割多重（ＦＤＭ）によって３つのＷＵＳを同時的に送信することが、ＴＧ  ＩＥＥＥ８０２．１１ｂａにおいて提案された。しかしながら、この手法は、１つまたは複数の他のＷＵＲを対象とする１つまたは複数のＷＵＳが減衰される必要があるので、周波数基準生成の精度に関しておよびフィルタ複雑度に関して、より厳しい要件をＷＵＲ実装形態に強制する。
【０００７】
したがって、同時ＷＵＳ送信に対する代替手法が必要である。好ましくは、そのような手法は、非同時ＷＵＳ送信と比較して、より厳しい要件をＷＵＲ実装形態に課すべきではない。また好ましくは、そのような手法は、ＷＵＲにとって、１つまたは複数のＷＵＳ（すなわち、そのＷＵＲを対象としないが、そのＷＵＲを対象とするＷＵＳと同時に送信される）に関して、透過的（すなわち、ＷＵＲ動作に影響を及ぼさない）であるべきである。
【発明の概要】
【０００８】
本明細書で使用される「備える、含む（ｃｏｍｐｒｉｓｅｓ）／備える、含む（ｃｏｍｐｒｉｓｉｎｇ）」という用語は、述べられた特徴、整数、ステップ、または構成要素の存在を明示するものととられるが、１つまたは複数の他の特徴、整数、ステップ、構成要素、またはそれらのグループの存在または追加を排除しないことを強調されるべきである。本明細書で使用される単数形「ａ」、「ａｎ」および「ｔｈｅ」は、文脈が別段に明確に示すのでなければ、複数形をも含むものとする。
【０００９】
概して、本明細書で構成（ａｒｒａｎｇｅｍｅｎｔ）に言及するとき、構成は、物理的製品、たとえば、装置として理解されるべきである。物理的製品は、１つまたは複数のコントローラの形態の制御回路要素、１つまたは複数のプロセッサなど、１つまたは複数の部分を備え得る。
【００１０】
いくつかの実施形態の目的は、上記または他の欠点のうちの少なくともいくつかを解決または軽減するか、和らげるか、あるいは除去することである。
【００１１】
第１の態様によれば、これは、信号生成器シンボルレートを適用する信号生成器を使用して、２つ以上の起動信号（ＷＵＳ）を同時に送信するための、ネットワークノードの方法によって達成され、各ＷＵＳは、それぞれの無線通信デバイスの起動受信機（ＷＵＲ）による受信のためのものである。
【００１２】
本方法は、２つ以上のＷＵＳの各々についてそれぞれのマンチェスターコーディングシンボルレートを選択することであって、選択されたそれぞれのマンチェスターコーディングシンボルレートのすべてが、互いに異なり、選択されたそれぞれのマンチェスターコーディングシンボルレートを有するすべてのマンチェスターコードが、互いに直交する、それぞれのマンチェスターコーディングシンボルレートを選択することと、信号生成器と、選択されたそれぞれのマンチェスターコーディングシンボルレートのマンチェスターコードの適用とを使用して、２つ以上のＷＵＳの各々を生成することと、ＷＵＳメッセージ中での送信のために２つ以上のＷＵＳを多重化することとを含む。
【００１３】
いくつかの実施形態では、それぞれのマンチェスターコーディングシンボルレートを選択することが、選択されたそれぞれのマンチェスターコーディングシンボルレートのペアを２のｎ乗の係数だけ異ならせることを含み、ここでｎが整数である。
【００１４】
いくつかの実施形態では、それぞれのマンチェスターコーディングシンボルレートを選択することが、選択されたそれぞれのマンチェスターコーディングシンボルレートのすべてを信号生成器シンボルレートに２のｋ乗の係数で関係付けされることを含み、ここでｋが整数である。
【００１５】
いくつかの実施形態では、２つ以上のＷＵＳの各々を生成することは、より低いそれぞれのマンチェスターコーディングシンボルレートのＷＵＳがマンチェスターコーディングシンボル境界を有するときはいつでも、２つ以上のＷＵＳの各々がマンチェスターコーディングシンボル境界を有するように、２つ以上のＷＵＳを互いと時間整合することを含む。
【００１６】
いくつかの実施形態では、２つ以上のＷＵＳの各々を生成することは、選択されたそれぞれのマンチェスターコーディングシンボルレートが信号生成器シンボルレートよりも低いとき、ＷＵＳのシンボルにマンチェスターコードを適用することと、結果を信号生成器に入力することとを含む。選択されたそれぞれのマンチェスターコーディングシンボルレートが、信号生成器シンボルレートを２のｍ乗で除算したものに等しく、ここでｍが正の整数である、とき、本方法は、結果を信号生成器に入力する前に、２のｍ乗の同一のマンチェスターコーディングされたシンボルを作り出すために、マンチェスターコーディングされたシンボルの各々を繰り返すことを含み得る。
【００１７】
いくつかの実施形態では、２つ以上のＷＵＳの各々を生成することが、ＷＵＳのシンボルに基づいて、ＯＦＤＭ信号生成器からの出力にマンチェスターコードをオンオフキーイング様式で適用することを含む。
【００１８】
いくつかの実施形態では、２つ以上のＷＵＳの各々についてそれぞれのマンチェスターコーディングシンボルレートを選択することは、第１のＷＵＳのそれぞれの無線通信デバイスに関連するチャネル状態が、第２のＷＵＳのそれぞれの無線通信デバイスに関連するチャネル状態よりもロバストな送信を必要とするとき、第１のＷＵＳのために、第２のマンチェスターコーディングシンボルレートよりも低い第１のマンチェスターコーディングシンボルレートを選択し、第２のＷＵＳのために第２のマンチェスターコーディングシンボルレートを選択することを含む。
【００１９】
いくつかの実施形態では、２つ以上のＷＵＳの各々を生成することが、マンチェスターコードの適用の前に、２つ以上のＷＵＳのうちの少なくとも１つにそれぞれの前方誤り訂正コードを適用することを含む。
【００２０】
いくつかの実施形態では、本方法は、それぞれの前方誤り訂正コードのコーディングレートを選択することであって、それぞれの前方誤り訂正コードの選択されたコーディングレートに、選択されたそれぞれのマンチェスターコーディングシンボルレートを乗算したものが、望ましいＷＵＳデータレートの使用を可能にするように、それぞれの前方誤り訂正コードのコーディングレートを選択することをさらに含み得る。
【００２１】
いくつかの実施形態では、本方法は、送信のためのＷＵＳパケットを生成することをさらに含み得、ＷＵＳパケットは、それぞれの無線通信デバイスのすべてによる時間同期のための第１の部分と、多重化された２つ以上のＷＵＳを含む第２の部分とを備える。
【００２２】
第１の態様のいくつかの変形態では、これは、信号生成器シンボルレートを適用する信号生成器を使用して、２つ以上の起動信号（ＷＵＳ）を同時に送信するための、ネットワークノードの方法によって達成され、各ＷＵＳは、それぞれの無線通信デバイスの起動受信機（ＷＵＲ）による受信のためのものである。
【００２３】
いくつかの実施形態では、本方法は、２つ以上のＷＵＳの同時送信のためのパケットを準備することをさらに含み、各ＷＵＳが、メッセージと、メッセージの対象とする受信機を示すプリペンドされたアドレスフィールドとを備え、ＷＵＳメッセージがパケットを備える。その場合、準備することは、多重化することの一部として、少なくとも部分的に互いに重複するように時間的に２つ以上のＷＵＳを編成することを含み、２つ以上のＷＵＳを編成することが、時間的にアドレスフィールドをスタッガすることを含む。
【００２４】
いくつかの実施形態では、本方法は、多重化された２つ以上のＷＵＳに、共通の同期部分をプリペンドすることをさらに含む。
【００２５】
いくつかの実施形態では、本方法は、対象とする受信機をアドレス指定する、パケットを送信することをさらに含む。
【００２６】
いくつかの実施形態では、２つ以上のＷＵＳの各々が、オンオフキーイング（ＯＯＫ）またはバイナリ周波数シフトキーイング（ＢＦＳＫ）の適用によって生成される。
【００２７】
いくつかの実施形態では、選択されたそれぞれのマンチェスターコーディングシンボルレートが、アドレスフィールドとメッセージとに適用される。
【００２８】
いくつかの実施形態では、時間的にアドレスフィールドをスタッガすることが、選択されたそれぞれのマンチェスターコーディングシンボルレートのうちの最も低いマンチェスターコーディングシンボルレートの適用によって生成された、ＷＵＳのアドレスフィールドで開始することを含む。
【００２９】
いくつかの実施形態では、時間的にアドレスフィールドをスタッガすることが、選択されたそれぞれのマンチェスターコーディングシンボルレートの昇順に対応する順序で、時間的にアドレスフィールドをスタッガすることを含む。
【００３０】
本方法は、２つ以上のＷＵＳのうちの少なくとも１つについてそれぞれのマンチェスターコーディングシンボルレートを選択することを含み、選択されたそれぞれのマンチェスターコーディングシンボルレートのすべてが、互いに異なり、選択されたそれぞれのマンチェスターコーディングシンボルレートを有するすべてのマンチェスターコードが、互いに直交する。信号生成器と、選択されたそれぞれのマンチェスターコーディングシンボルレートのマンチェスターコードの適用とを使用して、１つまたは複数のＷＵＳが生成され、オンオフキーイングと信号生成器とを使用して、マンチェスターコーディングされていないＷＵＳが生成される。ＷＵＳメッセージ中での送信のために、少なくとも１つのマンチェスターコーディングされたＷＵＳが、マンチェスターコーディングされていないＷＵＳと多重化される。
【００３１】
第１の態様のいくつかの変形態では、２つ以上のＷＵＳは、第１のＷＵＳと第２のＷＵＳとからなる。これらの変形態では、本方法は、第１のＷＵＳのためにマンチェスターコーディングシンボルレートを選択することと、ＯＦＤＭ信号生成器と、選択されたマンチェスターコーディングシンボルレートのマンチェスターコードの適用とを使用して、第１のＷＵＳを生成することとを含む。これらの変形態では、本方法は、オンオフキーイングとＯＦＤＭ信号生成器とを使用して、第２のＷＵＳをマンチェスターコーディングされていないＷＵＳとして生成することと、ＷＵＳメッセージ中での送信のために、第１および第２のＷＵＳを多重化することとをさらに含む。
【００３２】
いくつかの実施形態では、各ＷＵＳが、ＷＵＲによるＷＵＳの検出に応答してそれぞれの無線通信デバイスのメイン受信機を起動するためのものである。
【００３３】
第２の態様は、メイン受信機をも備える無線通信デバイスに備えられるように設定された起動受信機（ＷＵＲ）の方法である。無線通信デバイスは、ネットワークノードから、２つ以上の多重化された起動信号（ＷＵＳ）を備えるＷＵＳメッセージを受信するように設定され、２つ以上の多重化されたＷＵＳのうちの１つである特定のＷＵＳが、無線通信デバイスのメイン受信機を起動するためのものである。２つ以上のＷＵＳの各々が、選択されたそれぞれのマンチェスターコーディングシンボルレートのマンチェスターコードによって符号化され、選択されたそれぞれのマンチェスターコーディングシンボルレートのすべてが、互いに異なり、選択されたそれぞれのマンチェスターコーディングシンボルレートを有するすべてのマンチェスターコードが、互いに直交する。
【００３４】
本方法は、ＷＵＳメッセージを受信することと、選択されたそれぞれのマンチェスターコーディングシンボルレートのうちのどれを適用すべきかを決定することと、決定されたマンチェスターコーディングシンボルレートを使用してＷＵＳメッセージを復調することと、特定のＷＵＳが検出されたかどうかを決定することと、特定のＷＵＳの検出に応答してメイン受信機を起動することとを含む。
【００３５】
いくつかの実施形態では、選択されたそれぞれのマンチェスターコーディングシンボルレートのうちのどれを適用すべきかを決定することが、ＷＵＳメッセージを受信する前に実施されることに留意されたい。一般に、マンチェスターコーディングシンボルの決定は、メイン受信機が起動している期間中にメイン受信機によって実施された（ネットワークノードとの）ネゴシエーションに基づき得る。
【００３６】
いくつかの実施形態では、特定のＷＵＳが、マンチェスターコードの適用の前に、それぞれの前方誤り訂正コードによって符号化される。その場合、本方法は、それぞれの前方誤り訂正コードの１つまたは複数のパラメータを決定することと、ＷＵＳメッセージを復調した後に、決定されたパラメータに基づいてＷＵＳメッセージを前方誤り訂正復号することとをさらに含み得る。
【００３７】
いくつかの実施形態では、ＷＵＳメッセージがＷＵＳパケット中に備えられ、ＷＵＳパケットが、無線通信デバイスによる時間同期のための第１の部分と、ＷＵＳメッセージを備える第２の部分とを備える。
【００３８】
いくつかの実施形態では、本方法は、同時に送信された２つ以上の多重化されたＷＵＳを備える受信されたパケットを処理することをさらに含み、各ＷＵＳが、メッセージと、メッセージの対象とする受信機を示すプリペンドされたアドレスフィールドとを備え、２つ以上のＷＵＳが少なくとも部分的に時間的に互いに重複し、アドレスフィールドが時間的にスタッガされ、ＷＵＳメッセージがパケットを備える。その場合、選択されたそれぞれのマンチェスターコーディングシンボルレートのうちのどれを適用すべきかを決定することは、アドレスフィールドのうちの第１のアドレスフィールドについて、第１のアドレスフィールドの対象とする受信機がＷＵＲであるかどうかを決定することを含む。これらの実施形態では、ＷＵＳメッセージを復調することは、第１のアドレスフィールドの対象とする受信機がＷＵＲであるとき、第１のアドレスフィールドを備える２つ以上のＷＵＳのうちの第１のＷＵＳを復調することを含む。
【００３９】
いくつかの実施形態では、選択されたそれぞれのマンチェスターコーディングシンボルレートのうちのどれを適用すべきかを決定することは、第１のアドレスフィールドの対象とする受信機がＷＵＲでないとき、アドレスフィールドのうちの第２のアドレスフィールドについて、第２のアドレスフィールドの対象とする受信機がＷＵＲであるかどうかを決定することをさらに含む。これらの実施形態では、ＷＵＳメッセージを復調することは、第２のアドレスフィールドの対象とする受信機がＷＵＲであるとき、第２のアドレスフィールドを備える２つ以上のＷＵＳのうちの第２のＷＵＳを復調することを含む。
【００４０】
いくつかの実施形態では、アドレスフィールドは、時間的にスタッガされ、それぞれのマンチェスターコーディングシンボルレートのうちの最も低いマンチェスターコーディングシンボルレートを有するＷＵＳのアドレスフィールドで開始する。その場合、本方法は、第１のＷＵＳのマンチェスターコーディングシンボルレートよりも高いマンチェスターコーディングシンボルレートとして、第２のＷＵＳのマンチェスターコーディングシンボルレートを識別することと、第２のアドレスフィールドの対象とする受信機がＷＵＲであるかどうかを決定するために、第２のＷＵＳの識別されたマンチェスターコーディングシンボルレートを使用することとをさらに含み得る。
【００４１】
いくつかの実施形態では、受信されたパケットは、多重化された２つ以上のＷＵＳにプリペンドされた共通の同期部分をさらに備え、本方法は、共通の同期部分から第１のＷＵＳのマンチェスターコーディングシンボルレートを識別することと、第１のアドレスフィールドの対象とする受信機がＷＵＲであるかどうかを決定するために、第１のＷＵＳの識別されたマンチェスターコーディングシンボルレートを使用することとをさらに含み得る。
【００４２】
第３の態様は、プログラム命令を備えるコンピュータプログラムが格納された、非一時的コンピュータ可読媒体を備えるコンピュータプログラム製品である。コンピュータプログラムは、データ処理ユニットにロード可能であり、コンピュータプログラムがデータ処理ユニットによって実行させられたとき、第１の態様および第２の態様のいずれかによる方法の実行を引き起こすように設定される。
【００４３】
第４の態様は、信号生成器シンボルレートを適用するように設定された信号生成器を使用した、２つ以上の起動信号（ＷＵＳ）の同時送信のための、ネットワークノードのための構成であり、各ＷＵＳは、それぞれの無線通信デバイスの起動受信機（ＷＵＲ）による受信のためのものである。
【００４４】
本構成は、２つ以上のＷＵＳの各々についてのそれぞれのマンチェスターコーディングシンボルレートの選択を引き起こすように設定されたコントローラを備え、選択されたそれぞれのマンチェスターコーディングシンボルレートのすべてが、互いに異なり、選択されたそれぞれのマンチェスターコーディングシンボルレートを有するすべてのマンチェスターコードが、互いに直交する。コントローラは、信号生成器と、選択されたそれぞれのマンチェスターコーディングシンボルレートのマンチェスターコードの適用とを使用した、２つ以上のＷＵＳの各々の生成と、ＷＵＳメッセージ中での送信のための２つ以上のＷＵＳの多重化とを引き起こすようにも設定される。
【００４５】
第４の態様の変形態は、信号生成器シンボルレートを適用するように設定された信号生成器を使用した、２つ以上の起動信号（ＷＵＳ）の同時送信のための、ネットワークノードのための構成であり、各ＷＵＳは、それぞれの無線通信デバイスの起動受信機（ＷＵＲ）による受信のためのものである。
【００４６】
本構成は、２つ以上のＷＵＳのうちの少なくとも１つについてのそれぞれのマンチェスターコーディングシンボルレートの選択を引き起こすように設定されたコントローラを備え、選択されたそれぞれのマンチェスターコーディングシンボルレートのすべてが、互いに異なり、選択されたそれぞれのマンチェスターコーディングシンボルレートを有するすべてのマンチェスターコードが、互いに直交する。コントローラは、信号生成器と、選択されたそれぞれのマンチェスターコーディングシンボルレートのマンチェスターコードの適用とを使用した、１つまたは複数のＷＵＳの生成と、オンオフキーイングと信号生成器とを使用した、マンチェスターコーディングされていないＷＵＳの生成と、ＷＵＳメッセージ中での送信のための、マンチェスターコーディングされていないＷＵＳとの少なくとも１つのマンチェスターコーディングされたＷＵＳの多重化とを引き起こすようにも設定される。
【００４７】
第５の態様は、第４の態様の構成を備えるネットワークノードである。
【００４８】
第６の態様は、メイン受信機をも備える無線通信デバイスに備えられるように設定された起動受信機（ＷＵＲ）のための構成であり、無線通信デバイスは、ネットワークノードから、２つ以上の多重化された起動信号（ＷＵＳ）を備えるＷＵＳメッセージを受信するように設定され、２つ以上の多重化されたＷＵＳのうちの１つである特定のＷＵＳが、無線通信デバイスのメイン受信機を起動するためのものである。２つ以上のＷＵＳの各々が、選択されたそれぞれのマンチェスターコーディングシンボルレートのマンチェスターコードによって符号化され、選択されたそれぞれのマンチェスターコーディングシンボルレートのすべてが、互いに異なり、選択されたそれぞれのマンチェスターコーディングシンボルレートを有するすべてのマンチェスターコードが、互いに直交する。
【００４９】
本構成は、ＷＵＳメッセージの受信と、選択されたそれぞれのマンチェスターコーディングシンボルレートのうちのどれを適用すべきかの決定と、決定されたマンチェスターコーディングシンボルレートを使用した、ＷＵＳメッセージの復調と、特定のＷＵＳが検出されたかどうかの決定と、特定のＷＵＳの検出に応答するメイン受信機の起動とを引き起こすように設定されたコントローラを備える。
【００５０】
第７の態様は、第６の態様の構成を備える無線通信デバイスである。
【００５１】
第８の態様によれば、これは、２つ以上の信号の同時送信のためのパケットを準備するための、無線送信機の方法によって達成され、各信号が、メッセージと、メッセージの対象とする受信機を示すプリペンドされたアドレスフィールドとを備える。
【００５２】
本方法は、少なくとも部分的に互いに重複するように時間的に２つ以上の信号を編成することによって、パケット中での送信のために２つ以上の信号を多重化することを含み、２つ以上の信号を編成することが、時間的にアドレスフィールドをスタッガすることを含む。
【００５３】
概して、重複および／またはスタッガすることは、典型的な実施形態によれば、時間的な（たとえば時間領域における）ものであり得る。
【００５４】
いくつかの実施形態では、本方法は、多重化された２つ以上の信号に、共通の同期部分をプリペンドすることをさらに含む。
【００５５】
いくつかの実施形態では、本方法は、対象とする受信機をアドレス指定する、パケットを送信することをさらに含む。
【００５６】
いくつかの実施形態では、２つ以上の信号の各々が、オンオフキーイング（ＯＯＫ）またはバイナリ周波数シフトキーイング（ＢＦＳＫ）の適用によって生成される。
【００５７】
いくつかの実施形態では、２つ以上の信号が２つ以上の起動信号（ＷＵＳ）である。
【００５８】
いくつかの実施形態では、本方法は、２つ以上の信号の各々の生成のためのそれぞれのシンボルレートを選択することであって、選択されたそれぞれのシンボルレートのすべてが互いに異なる、それぞれのシンボルレートを選択することと、アドレスフィールドとメッセージとへの選択されたそれぞれのシンボルレートの適用によって、２つ以上の信号の各々を生成することとをさらに含む。
【００５９】
いくつかの実施形態では、時間的にアドレスフィールドをスタッガすることが、選択されたそれぞれのシンボルレートのうちの最も低いシンボルレートの適用によって生成された、信号のアドレスフィールドで開始することを含む。
【００６０】
いくつかの実施形態では、時間的にアドレスフィールドをスタッガすることが、選択されたそれぞれのシンボルレートの昇順に対応する順序で、時間的にアドレスフィールドをスタッガすることを含む。
【００６１】
いくつかの実施形態では、それぞれのシンボルレートを選択することが、選択されたそれぞれのシンボルレートのペアを２のｎ乗の係数だけ異ならせることを含み、ここでｎが整数である。
【００６２】
いくつかの実施形態では、それぞれのシンボルレートが、それぞれのマンチェスターコーディングシンボルレートである。
【００６３】
いくつかの実施形態では、選択されたそれぞれのマンチェスターコーディングシンボルレートを有するすべてのマンチェスターコードが、互いに直交する。
【００６４】
第９の態様は、同時に送信された２つ以上の多重化された信号を備える受信されたパケットを処理するための、無線受信機の方法であり、各信号が、メッセージと、メッセージの対象とする受信機を示すプリペンドされたアドレスフィールドとを備え、２つ以上の信号が少なくとも部分的に時間的に互いに重複し、アドレスフィールドが時間的にスタッガされる。
【００６５】
本方法は、アドレスフィールドのうちの第１のアドレスフィールドについて、第１のアドレスフィールドの対象とする受信機が無線受信機であるかどうかを決定することと、第１のアドレスフィールドの対象とする受信機が無線受信機であるとき、第１のアドレスフィールドを備える２つ以上の信号のうちの第１の信号を復調することとを含む。
【００６６】
いくつかの実施形態では、本方法は、第１のアドレスフィールドの対象とする受信機が無線受信機でないとき、アドレスフィールドのうちの第２のアドレスフィールドについて、第２のアドレスフィールドの対象とする受信機が無線受信機であるかどうかを決定することと、第２のアドレスフィールドの対象とする受信機が無線受信機であるとき、第２のアドレスフィールドを備える２つ以上の信号のうちの第２の信号を復調することとをさらに含む。
【００６７】
２つ以上の信号のそれぞれのシンボルレートが互いに異なり、アドレスフィールドが時間的にスタッガされ、それぞれのシンボルレートのうちの最も低いシンボルレートを有する信号のアドレスフィールドで開始する、いくつかの実施形態では、本方法は、第１の信号のシンボルレートよりも高いシンボルレートとして、第２の信号のシンボルレートを識別することと、第２のアドレスフィールドの対象とする受信機が無線受信機であるかどうかを決定するために、第２の信号の識別されたシンボルレートを使用することとをさらに含む。
【００６８】
受信されたパケットが、多重化された２つ以上の信号にプリペンドされた共通の同期部分をさらに備える、いくつかの実施形態では、本方法は、共通の同期部分から第１の信号のシンボルレートを識別することと、第１のアドレスフィールドの対象とする受信機が無線受信機であるかどうかを決定するために、第１の信号の識別されたシンボルレートを使用することとをさらに含む。
【００６９】
いくつかの実施形態では、２つ以上の信号が２つ以上の起動信号（ＷＵＳ）であり、無線受信機が起動無線機（ＷＵＲ）である。
【００７０】
第１０の態様は、プログラム命令を備えるコンピュータプログラムが格納された、非一時的コンピュータ可読媒体を備えるコンピュータプログラム製品である。コンピュータプログラムは、データ処理ユニットにロード可能であり、コンピュータプログラムがデータ処理ユニットによって動作させられたとき、第８の態様または第９の態様による方法の実行を引き起こすように設定される。
【００７１】
第１１の態様は、２つ以上の信号の同時送信のためのパケットを準備するための、無線送信機のための装置であり、各信号が、メッセージと、メッセージの対象とする受信機を示すプリペンドされたアドレスフィールドとを備える。
【００７２】
本装置は、少なくとも部分的に互いに重複するように時間的に２つ以上の信号を編成することを引き起こすことによって、パケット中での送信のための２つ以上の信号の多重化を引き起こすように設定されたコントローラを備え、２つ以上の信号を編成することが、時間的にアドレスフィールドをスタッガすることを含む。
【００７３】
第１２の態様は、第１１の態様の装置を備える無線送信機ノードである。
【００７４】
第１３の態様は、同時に送信された２つ以上の多重化された信号を備える受信されたパケットを処理するための、無線受信機のための装置であり、各信号が、メッセージと、メッセージの対象とする受信機を示すプリペンドされたアドレスフィールドとを備え、２つ以上の信号が少なくとも部分的に時間的に互いに重複し、アドレスフィールドが時間的にスタッガされる。
【００７５】
本装置は、アドレスフィールドのうちの第１のアドレスフィールドについて、第１のアドレスフィールドの対象とする受信機が無線受信機であるかどうかの決定と、第１のアドレスフィールドの対象とする受信機が無線受信機であることに応答する、第１のアドレスフィールドを備える２つ以上の信号のうちの第１の信号の復調とを引き起こすように設定されたコントローラを備える。
【００７６】
第１４の態様は、第１３の態様の装置を備える無線受信機である。
【００７７】
いくつかの実施形態では、上記の態様のいずれかが、さらに、他の態様のいずれかについて上記で説明されたような様々な特徴のいずれかと同等のまたはそれらの特徴のいずれかに対応する特徴を有し得る。
【００７８】
いくつかの実施形態の利点は、同時ＷＵＳ送信が可能にされることである。同時ＷＵＳ送信による利点は、無線通信システムの能力が効率的に使用されることである。
【００７９】
いくつかの実施形態の別の利点は、同時ＷＵＳ送信が、ＷＵＲにとって透過的であることである。
【００８０】
また、いくつかの実施形態の利点は、ＷＵＲ実装が、他の同時ＷＵＳ送信手法が適用されるときと比較して、あまり複雑でない（より緩和された要件である）ことがあることである。
【００８１】
いくつかの実施形態によれば、信号を多重化するための単純でフレキシブルなやり方が提供され、マンチェスターコーディングが使用される。多重化は、いくつかの実施形態による受信機にとって透過的である。したがって、本手法は、すでに存在する規格に導入され得る。代替または追加として、本手法は、プロプライエタリ特徴として導入され得る。
【００８２】
いくつかの実施形態の別の利点は、ユーザのためのＷＵＳリンク性能が、ユーザに割り当てられた送信電力に依存するが、多重化されているＷＵＳの数に依存しないことである。したがって、ユーザに割り当てられた送信電力が一定に保たれる場合、そのユーザのためのリンク性能は、ユーザのＷＵＳが単独で送信された場合と比較して、２つ以上のＷＵＳが多重化されたときに劣化されない。
【００８３】
いくつかの実施形態の利点は、それぞれの受信機をアドレス指定することに対する手法が提供されることであり、これは、それぞれの受信機を対象とする２つ以上の異なる信号の、単一のパケット中での同時送信に好適である。
【００８４】
さらなる利点は、本手法が、２つ以上の異なる信号が異なるシンボルレートを有するとき、特に好適であることである。
【００８５】
添付の図面を参照しながら、実施形態の以下の詳細な説明から、さらなる目的、特徴および利点が明らかになろう。図面は必ずしも一定の縮尺であるとは限らず、代わりに、例示的な実施形態を示すことに重きが置かれる。
【図面の簡単な説明】
【００８６】
【図１】マンチェスターコーディングを示す概略タイミング図である。
【図２】いくつかの実施形態による、例示的な方法ステップを示すフローチャートである。
【図２ａ】いくつかの実施形態による、例示的な方法ステップを示すフローチャートである。
【図３】いくつかの実施形態による、異なるＷＵＳを示す概略タイミング図である。
【図４】いくつかの実施形態による、異なるＷＵＳの多重化を示す概略タイミング図である。
【図５】いくつかの実施形態による、異なるＷＵＳの多重化を示す概略タイミング図である。
【図６】いくつかの実施形態による、例示的な方法ステップを示すフローチャートである。
【図６ａ】いくつかの実施形態による、例示的な方法ステップを示すフローチャートである。
【図７】いくつかの実施形態による、例示的な構成／装置を示す概略ブロック図である。
【図８】いくつかの実施形態による、例示的な構成／装置を示す概略ブロック図である。
【図９Ａ】一実施形態による、例示的な構成／装置を示す概略ブロック図である。
【図９Ｂ】一実施形態による、例示的な構成／装置を示す概略ブロック図である。
【図１０】いくつかの実施形態による、例示的な構成／装置を示す概略ブロック図である。
【図１１】いくつかの実施形態による、例示的な構成／装置を示す概略ブロック図である。
【図１２】いくつかの実施形態による、例示的なＷＵＳメッセージを示す概略図である。
【図１２ａ】いくつかの実施形態による、例示的なパケット構造を示す概略図である。
【図１２ｂ】いくつかの実施形態による、例示的なパケット構造を示す概略図である。
【図１２ｃ】いくつかの実施形態による、例示的なパケット構造を示す概略図である。
【図１３】いくつかの実施形態による、異なるＷＵＳの多重化を示す概略タイミング図である。
【図１４】いくつかの実施形態による、例示的なコンピュータ可読媒体を示す概略図である。
【発明を実施するための形態】
【００８７】
上記ですでに述べたように、本明細書で使用される「備える、含む（ｃｏｍｐｒｉｓｅｓ）／備える、含む（ｃｏｍｐｒｉｓｉｎｇ）」という用語は、述べられた特徴、整数、ステップ、または構成要素の存在を明示するものととられるが、１つまたは複数の他の特徴、整数、ステップ、構成要素、またはそれらのグループの存在または追加を排除しないことを強調されるべきである。本明細書で使用される単数形「ａ」、「ａｎ」および「ｔｈｅ」は、文脈が別段に明確に示すのでなければ、複数形をも含むものとする。
【００８８】
本開示の実施形態が、添付の図面を参照しながら以下でより十分に説明および例示される。しかしながら、本明細書で開示されるソリューションは、多くの異なる形態で実現され得、本明細書に記載される実施形態に限定されるものとして解釈されるべきではない。
【００８９】
概して、本明細書で使用される「時間的に（ｉｎ  ｔｉｍｅ）」という表記は、「時間領域において（ｉｎ  ａ／ｔｈｅ  ｔｉｍｅ  ｄｏｍａｉｎ）」として解釈され得ることに留意されたい。たとえば、少なくとも部分的に互いに重複するように時間的に２つ以上の信号を編成することは、少なくとも部分的に互いに重複するように時間領域において２つ以上の信号を編成することとして解釈され得る。同様に、時間的にアドレスフィールドをスタッガすることは、時間領域においてアドレスフィールドをスタッガすることとして解釈され得る。
【００９０】
本開示は、起動信号送信および同時送信のためのパケット構造に関する。本開示は、一般に無線通信の分野に関する。より詳細には、本開示は、無線通信システムにおける起動信号の送信と、パケット中での２つ以上の信号の同時送信とに関する。
【００９１】
概して、背景技術、問題、および実施形態は、本明細書では起動信号のコンテキストにおいて説明されるが、いくつかの実施形態は、起動信号以外の信号の同時送信および受信を伴うシナリオに等しく適用可能であることに留意されたい。したがって、本明細書で使用される起動信号のコンテキストは、限定的なものとして解釈されるべきではなく、例示的なものにすぎない。
【００９２】
本明細書では、「ＷＵＳ」という表記は、単数形（すなわち、１つの／その（ｔｈｅ）ＷＵＳ）と複数形（すなわち、いくつかの／その（ｔｈｅ）ＷＵＳ）の両方のために使用され、コンテキストが、単数形が意図されているのか、複数形が意図されているのか、両方が意図されているのかを規定する。
【００９３】
「ＷＵＳデータレート」という用語は、ＷＵＳについて、時間単位ごとの情報シンボル（一般にデータビット）の数を示すために使用され、「ＷＵＳシンボルレート」という用語は、ＷＵＳについて、時間単位ごとに送信されるべきシンボル（一般にデータビット）の数を示すために使用される。ＷＵＳシンボルレートは、マンチェスターコーディングシンボルレートに一致する。ＦＥＣが適用されないとき、ＷＵＳデータレートはＷＵＳシンボルレートに等しく、ＦＥＣが適用されるとき、ＷＵＳデータレートは、ＦＥＣコーディングの前のシンボルレートを示すために使用され、ＷＵＳシンボルレートは、ＦＥＣコーディングの後のシンボルレートを示すために使用される。
【００９４】
上述のように、同時ＷＵＳ送信に対する代替手法が必要である。
【００９５】
同時ＷＵＳ送信は、信号生成器シンボルレートを適用する信号生成器を使用して、２つ以上の起動信号（ＷＵＳ）を同時に送信するための、ネットワークノードの方法（および／または対応する構成）によって達成され得、各ＷＵＳは、それぞれの無線通信デバイスの起動受信機（ＷＵＲ）による受信のためのものである。
【００９６】
本方法は、２つ以上のＷＵＳの各々についてそれぞれのマンチェスターコーディングシンボルレートを選択することであって、選択されたそれぞれのマンチェスターコーディングシンボルレートのすべてが、互いに異なり、選択されたそれぞれのマンチェスターコーディングシンボルレートを有するすべてのマンチェスターコードが、互いに直交する、それぞれのマンチェスターコーディングシンボルレートを選択することと、信号生成器と、選択されたそれぞれのマンチェスターコーディングシンボルレートのマンチェスターコードの適用とを使用して、２つ以上のＷＵＳの各々を生成することと、ＷＵＳメッセージ中での送信のために２つ以上のＷＵＳを多重化することとを含む。
【００９７】
いくつかの実施形態では、各ＷＵＳが、ＷＵＲによるＷＵＳの検出に応答してそれぞれの無線通信デバイスのメイン受信機を起動するためのものである。
【００９８】
同時に送信されたＷＵＳの受信は、メイン受信機をも備える無線通信デバイスに備えられるように設定された起動受信機（ＷＵＲ）の方法（および／または対応する構成）によって達成され得る。無線通信デバイスは、ネットワークノードから、２つ以上の多重化された起動信号（ＷＵＳ）を備えるＷＵＳメッセージを受信するように設定され、２つ以上の多重化されたＷＵＳのうちの１つである特定のＷＵＳが、無線通信デバイスのメイン受信機を起動するためのものである。２つ以上のＷＵＳの各々が、選択されたそれぞれのマンチェスターコーディングシンボルレートのマンチェスターコードによって符号化され、選択されたそれぞれのマンチェスターコーディングシンボルレートのすべてが、互いに異なり、選択されたそれぞれのマンチェスターコーディングシンボルレートを有するすべてのマンチェスターコードが、互いに直交する。
【００９９】
本方法は、ＷＵＳメッセージを受信することと、選択されたそれぞれのマンチェスターコーディングシンボルレートのうちのどれを適用すべきかを決定することと、決定されたマンチェスターコーディングシンボルレートを使用してＷＵＳメッセージを復調することと、特定のＷＵＳが検出されたかどうかを決定することと、特定のＷＵＳの検出に応答してメイン受信機を起動することとを含む。
【０１００】
いくつかの実施形態では、選択されたそれぞれのマンチェスターコーディングシンボルレートのうちのどれを適用すべきかを決定することが、ＷＵＳメッセージを受信する前に実施されることに留意されたい。一般に、マンチェスターコーディングシンボルの決定は、メイン受信機が起動している期間中にメイン受信機によって実施された（ネットワークノードとの）ネゴシエーションに基づき得る。
【０１０１】
異なるシンボルレートをもつ２つ以上の信号（２つ以上の「サブパケット」）が、同時送信のために単一のパケット中で多重化されるときに直面する課題は、（たとえば、信号の対象とする受信機、パケットタイプ、パケット長、パケット内の信号長、すなわちサブパケット長などのうちの１つまたは複数を指示する）対応する制御情報をどのように送るべきかである。これは、サブパケットが、たとえば、異なるタイプのものであり、および／または異なる長さを有するとき、特に難しくなり得る。この課題のソリューションが、本明細書において後で与えられる。
【０１０２】
さらに、パケットの総エネルギー（または電力）が、異なる信号間で共有されるので、すべての信号のために同じ同期シーケンスを使用することが、同期性能の低下を回避するために有利であり得る。パケット中のすべての信号に対する同じ同期シーケンスの使用が可能にされる実施形態も、本明細書において後で与えられる。
【０１０３】
次に、２つ以上のＷＵＳの同時送信のコンテキストが、さらに詳述される。
【０１０４】
以下では、各ＷＵＳが、ＷＵＲによるＷＵＳの検出に応答してそれぞれの無線通信デバイスのメイン受信機を起動するためのものであるコンテキストが、例示的に使用される。しかしながら、代替または追加として、ＷＵＳは、メイン受信機を起動すること以外の目的のために（たとえば小さいデータを搬送するために）使用され得ることと、本明細書で提示される実施形態は、そのような状況において等しく適用可能であり得ることとに留意されたい。
【０１０５】
ＷＵＳ（すなわち、ＷＵＲに送られる信号）のための通常使用される変調は、オンオフキーイング（ＯＯＫ）である。ＯＯＫはバイナリ変調であり、ここで、論理１が、信号存在によって、すなわち信号を送ること（オン）によって表され、論理０が、信号不在によって、すなわち信号を送らないこと（オフ）によって表され、またはその逆もある。ＯＯＫ変調された信号を復号するために、受信機は、どの信号レベルが信号の存在に対応し、どの信号レベルが信号の不在に対応するかを推定することを必要とし、これは、一般に、ＯＯＫしきい値を決定することを伴う。
【０１０６】
ＷＵＳのために使用され得る別の変調は、バイナリ周波数シフトキーイング（ＢＦＳＫ）である。ＢＦＳＫは変調であり、ここで、論理１が、キャリア周波数からの正の周波数偏移によって表され、論理０が、負の周波数偏移によって表され、またはその逆もある。したがって、ＢＦＳＫ受信機は、受信信号が正の周波数偏移を伴って送られたのか負の周波数偏移を伴って送られたのかを決定することを必要とし、これは、ＯＯＫしきい値を用いたアナロジーにおいて、一般に、ある正確さでキャリア周波数を推定することを伴う。
【０１０７】
マンチェスターコーディングは、概して、受信機におけるクロック復元および／または復調を簡略化するために適用され得る、変調手法である。これらの簡略化は、平均信号レベルのマンチェスターコーディングされた信号が情報を搬送せず、これが、各マンチェスターコーディングされたシンボルについても当てはまるので、達成され得る。
【０１０８】
図１は、タイミング図においてマンチェスターコーディングの原理を概略的に示し、ここで、１１０は、符号化されるべきバイナリ情報シンボル（「０」について低い値、「１」について高い値）を示し、１２０は、バイナリシンボル１１０から生じるマンチェスターコーディングされたシンボルを示す。図１では、マンチェスターコーディングシンボルレートは、各マンチェスターコーディングされたシンボル１３１、１３２、１３３、１３４、１３５、１３６の長さによって規定される。
【０１０９】
図１に示されたマンチェスターコーディング方式によれば、論理１を表すバイナリシンボルは、対応するマンチェスターコーディングされたシンボルの前半について論理１に符号化され、対応するマンチェスターコーディングされたシンボルの後半について論理０に符号化される。時間間隔１３２、１３３および１３５参照。対照的に、論理０を表すバイナリシンボルは、対応するマンチェスターコーディングされたシンボルの前半について論理０に符号化され、対応するマンチェスターコーディングされたシンボルの後半について論理１に符号化される。時間間隔１３１、１３４および１３６参照。マンチェスター符号化されたシンボル１２０は、次いで、たとえばＯＯＫまたはＢＦＳＫを使用して変調され得る。
【０１１０】
図１と比較して反対のマッピングは、マンチェスターコーディングを適用する別のやり方、すなわち、論理１を、前半において論理０に、後半において論理１に符号化し、論理０を、前半において論理１に、後半において論理０に符号化することであることに留意されたい。
【０１１１】
クロック復元は、情報シンボルがどんな値を有するかにかかわらず、各マンチェスターコーディングされたシンボルの中央において０から１へのまたはその逆の遷移が常にあることになるので、マンチェスターコーディングの使用によって簡略化される。
【０１１２】
復調は、情報シンボルがどんな値を有するかにかかわらず、各マンチェスターコーディングされたシンボルの平均値なので、マンチェスターコーディングの使用によって簡略化され得る。したがって、以下において詳述されるように、ＯＯＫの場合、しきい値の推定の必要はなく、または、ＢＦＳＫの場合、キャリア周波数の推定の必要はない。
【０１１３】
マンチェスターコーディングされたシンボルの復号は、一般に、シンボルの前半中の信号値と後半中の信号値とを比較することと、図１のマッピングがＯＯＫのために適用される場合に、シンボルの前半中の信号値がシンボルの後半中の信号値よりも大きい場合、論理１のほうを優先して判定することとによって行われ得る。これは、メトリック値、ｘ＝ｒ０−ｒ１の決定によって実装され得、ここで、ｒ０およびｒ１は、それぞれ、シンボルの前半中の信号値およびシンボルの後半中の信号値を表す。次いで、情報シンボルの推定値
2020533848.tif 000003
は、ｘ≧０である場合、
2020533848.tif 000004
＝１として取得され、ｘ＜０である場合、
2020533848.tif 000005
＝０として取得され得る。マンチェスターコーディングが、ＢＦＳＫのコンテキストにおいて適用されるとき、復号は、一般に、シンボルの前半中の周波数とシンボルの後半中の周波数とを比較することによって行われ得る。
【０１１４】
メトリックｘは、シンボルの前半中の信号値からシンボルの後半中の信号値を減算することによって生成されるので、平均信号値は、判定を行うために使用されるメトリックに影響を及ぼさないことになる。マンチェスターコーディングのこの性質により、マンチェスターコーディングは、論理１と論理０とを区別するための判定しきい値を推定する必要を回避するための魅力的な手法である。そのようなしきい値推定が簡単でないときの２つの例が、ＯＯＫおよびＢＦＳＫである。
【０１１５】
マンチェスターコーディングされたＢＦＳＫは、Ｂｌｕｅｔｏｏｔｈ低エネルギー（ＢＬＥ）の長距離モード（ＢＬＲ）において使用される。マンチェスターコーディングされたＯＯＫは、ＩＥＥＥ８０２．１１ｂａタスクグループ（ＴＧ）内で規格化されている。ＴＧ８０２．１１ｂａは、ＷＵＲのための規格を開発し、目標は、８０２．１１規格に基づくデバイスにおける電力消費を著しく低減することである。ＩＦＦＴを使用することによってＷＵＳを生成することが提案され、なぜなら、この機能ブロックが、たとえば８０２．１１ａ／ｇ／ｎ／ａｃをサポートするＷｉ−Ｆｉ送信機においてすでに利用可能であるからである。具体的には、ＷＵＳを生成するための説明される手法は、１３個の中心サブキャリアを使用すること、「オン」を表すために何らかの好適な信号でそれらのサブキャリアをポピュレートすること、および「オフ」を表すために送信を延期することである。
【０１１６】
以下では、実施形態が、信号生成器シンボルレートを適用する信号生成器を使用して２つ以上のＷＵＳを同時に送信するためのネットワークノード（たとえばアクセスポイント（ＡＰ））について説明される。一般に、信号生成器は、ＯＦＤＭシンボルレートを適用する（たとえば逆高速フーリエ変換（ＩＦＦＴ）を使用して実装された）ＯＦＤＭ信号生成器である。別の代替形態は、バイナリ周波数シフトキーイング（ＢＦＳＫ）信号生成器である。以下の説明では、ＯＦＤＭ信号生成器をもつ実施形態が、非限定的な例として説明される。
【０１１７】
各ＷＵＳは、無線通信デバイス（ＷＣＤ、たとえば、局（ＳＴＡ）またはユーザ機器（ＵＥ））のＷＵＲによるＷＵＳの検出に応答して、それぞれのＷＣＤのメイン受信機を起動するためのものである。実施形態は、ＷＣＤにおけるＷＵＳのうちの１つの受信についても説明される。
【０１１８】
図２は、いくつかの実施形態による、ネットワークノードのための例示的な方法２００を示す。上記で説明されたコンテキストを用いたアナロジーでは、本方法は、ＯＦＤＭシンボルレートを適用するＯＦＤＭ信号生成器を使用して、２つ以上のＷＵＳを同時に送信するためのものであり、各ＷＵＳは、ＷＣＤのＷＵＲによるＷＵＳの検出に応答して、それぞれのＷＣＤのメイン受信機を起動するためのものである。
【０１１９】
ステップ２１０において、それぞれのマンチェスターコーディングシンボルレートが、２つ以上のＷＵＳの各々について選択される。選択されたそれぞれのマンチェスターコーディングシンボルレートのすべてが、互いに異なり、選択されたそれぞれのマンチェスターコーディングシンボルレートを有するすべてのマンチェスターコードが、互いに直交する。
【０１２０】
直交性は、上記で詳述された性質に関して本明細書で規定され得、マンチェスターコードのいずれかの任意のシンボルに対応するＷＵＳ情報シンボル値は、他のＷＵＳのいずれかの影響を受けることなしに推定され得る。
【０１２１】
いくつかの実施形態では、この性質は、それぞれのマンチェスターコーディングシンボルレートを特定のやり方で選択することと、図３に関して後で示されるように、多重化の前に、生成されたＷＵＳを時間整合することとによって達成され得る。
【０１２２】
随意のサブステップ２１１によって示されているように、マンチェスターコーディングシンボルレートの選択は、ネットワークノードとそれぞれのＷＵＳによってターゲットにされたＷＵＤとの間のチャネル状態に基づいてマンチェスターコーディングシンボルレートを選択することを含み得る。一般に、ＷＣＤが、不良なチャネル状態によりロバストな送信を必要とするとき、低いマンチェスターコーディングシンボルレートが適用され得、ＷＣＤが、良好なチャネル状態を経験するとき、高いマンチェスターコーディングシンボルレートが適用され得る。
【０１２３】
チャネル状態は、任意の好適なメトリック、たとえば、信号対雑音比（ＳＮＲ）、信号対干渉比（ＳＩＲ）、信号対雑音干渉比（ＳＮＩＲ）、受信信号強度インジケータ（ＲＳＳＩ）、または受信シンボルコード電力（ＲＳＣＰ）に関して測定され得る。ロバストネスの適切なレベルは、任意の好適なパラメータ（またはパラメータの組合せ）、たとえば、情報シンボルレート、マンチェスターコーディングシンボルレート、および前方誤り訂正コードのコードレートの選択によって達成され得る。
【０１２４】
ステップ２２０において、２つ以上のＷＵＳの各々が、ＯＦＤＭ信号生成器と、選択されたそれぞれのマンチェスターコーディングシンボルレートのマンチェスターコードの適用とを使用して生成される。上述のように、その生成は、一般に、サブステップ２２１によって示されているようにＷＵＳを互いと時間整合することを含み得る。
【０１２５】
上述のように、前方誤り訂正（ＦＥＣ）コードが、いくつかの実施形態ではマンチェスターコーディングと組み合わせて適用され得る。これは、ＦＥＣコードレートが選択される随意のサブステップ２１２によって、およびＦＥＣコードが適用される随意のサブステップ２２２によって、図２に示されている。ＦＥＣコーディングは、適用可能なとき、２つ以上のＷＵＳのいずれにも適用されないか、２つ以上のＷＵＳのうちの１つ、いくつか、またはすべてに適用され得る。
【０１２６】
ＦＥＣコードレートは、望ましい全体的シンボルレートを生じるように、マンチェスターコーディングシンボルレートと組み合わせて選択され得る。したがって、サブステップ２１２は、それぞれのＦＥＣコードの選択されたコーディングレートに、選択されたそれぞれのマンチェスターコーディングシンボルレートを乗算したものが、望ましいＷＵＳデータレートの使用を可能にするように、それぞれのＦＥＣコードのコーディングレートを選択することを含み得る。
【０１２７】
たとえば、ＦＥＣコードレートおよびマンチェスターコーディングシンボルレートは、上記で詳述されたようにチャネル状態により定められるロバストネス状態を実現するように選択され得る。代替または追加として、ＦＥＣコードレートおよびマンチェスターコーディングシンボルレートは、ＷＵＳの一部またはすべてが（それらのそれぞれのマンチェスターコーディングシンボルレートが異なる場合でも）等しいＷＵＳデータレートを有するように、選択され得る。したがって、サブステップ２１２は、それぞれのＦＥＣコードの選択されたコーディングレートに、選択されたそれぞれのマンチェスターコーディングシンボルレートを乗算したものが、２つ以上のＷＵＳのうちの少なくとも２つについて等しいように、それぞれのＦＥＣコードのコーディングレートを選択することを含み得る。
【０１２８】
ステップ２３０において、２つ以上のＷＵＳは、ＷＵＳメッセージ中での送信のために多重化される。随意のステップ２４０において、ＷＵＳメッセージ（またはＷＵＳパケット）は、同期のための部分をプリペンドすることによって生成され、随意のステップ２５０において、ＷＵＳメッセージは送信される。
【０１２９】
図２ａは、いくつかの実施形態による、無線送信機（たとえば、ネットワークノード）のための例示的な方法２００ａを示す。方法２００ａは、方法２００の代替と考えられ得る。いくつかの実施形態では、方法２００ａの１つまたは複数のステップは、他の代替方法を提供するために、方法２００の対応する１つまたは複数のステップとマージされ得る。さらに、いくつかの実施形態では、方法２００ａの１つまたは複数のステップは、また他の代替方法を提供するために、方法２００の１つまたは複数のステップと組み合わせられ得る。
【０１３０】
方法２００ａは、２つ以上の信号（たとえば、２つ以上のＷＵＳ）の同時送信のためのパケット（たとえば、ＷＵＳメッセージ）を準備するためのものであり、各信号は、メッセージ（ＷＵＳメッセージと混同されるべきでない、対象とするユーザ／受信機についてのデータ、またはペイロード）を備える。一般に、必ずしもそうではないが、２つ以上の信号のそれぞれの対象とする受信機（たとえばそれぞれのＷＵＲ）は、異なる受信機である。
【０１３１】
各信号は、メッセージの対象とする受信機を示すプリペンドされたアドレスフィールドをも備える。
【０１３２】
随意のステップ２１０ａにおいて、それぞれのシンボルレートが、２つ以上の信号の各々の生成のために選択される。選択されたそれぞれのシンボルレートのすべては、一般に、（たとえば、同時ＷＵＳ送信のコンテキストにおいて上記で説明された利点を達成するために）互いに異なる。ステップ２１０ａは、たとえば、図２のステップ２１０に関して上記で説明されたように、および／または本明細書で別段に説明されるように実装され得る。
【０１３３】
たとえば、それぞれのシンボルレートを選択することは、上記で説明されたように、選択されたそれぞれのシンボルレートのペアを２のｎ乗の係数だけ異ならせることを含み得、ここでｎが整数である。それぞれのシンボルレートは、それぞれのマンチェスターコーディングシンボルレートであり得、選択されたそれぞれのマンチェスターコーディングシンボルレートを有するすべてのマンチェスターコードが、互いに直交する。
【０１３４】
随意のサブステップ２１１ａによって示されているように、シンボルレートの選択は、無線送信機とそれぞれの信号によってターゲットにされた対象とする受信機との間のチャネル状態に基づいてシンボルレートを選択することを含み得る。ステップ２１１ａは、たとえば、図２のステップ２１１に関して上記で説明されたように、および／または本明細書で別段に説明されるように実装され得る。
【０１３５】
随意のステップ２２０ａにおいて、２つ以上の信号の各々が、アドレスフィールドとメッセージとへの選択されたそれぞれのシンボルレートの適用によって生成される。ステップ２２０ａは、たとえば、図２のステップ２２０に関して上記で説明されたように、および／または本明細書で別段に説明されるように実装され得る。
【０１３６】
ステップ２３０ａにおいて、２つ以上の信号が、パケット中での送信のために多重化される。多重化は、時間的にアドレスフィールドをスタッガしながら、少なくとも部分的に互いに重複するように時間的に２つ以上の信号を編成することによって達成される。さらに、ステップ２３０ａは、たとえば、図２のステップ２３０に関して上記で説明されたように、および／または本明細書で別段に説明されるように実装され得る。
【０１３７】
時間的にアドレスフィールドをスタッガすることは、一般に、選択されたそれぞれのシンボルレートのうちの最も低いシンボルレートの適用によって生成された、信号のアドレスフィールドで開始することと、選択されたそれぞれのシンボルレートの昇順に対応する順序で、時間的にアドレスフィールドをスタッガすることとを含み得る。
【０１３８】
随意のステップ２４０ａにおいて、共通の同期部分が、多重化された２つ以上の信号にプリペンドされる。概して、共通の同期部分は、２つ以上の対象とする受信機のうちの少なくとも２つ（一般にすべて）による同期のためのものである。共通の同期部分は、いくつかの実施形態による単一の同期部分、たとえば、単一の同期シーケンスであり得る。
【０１３９】
対象とする受信機をアドレス指定するパケットは、随意のステップ２５０ａにおいて送信される。
【０１４０】
ＷＵＳコンテキスト例に戻ると、異なるＷＵＳ間の直交性は、選択されたそれぞれのマンチェスターコーディングシンボルレートのペアが２のｎ乗で異なり、ここでｎが整数である、ようにそれぞれのマンチェスターコーディングシンボルレートを選択することと、より低いそれぞれのマンチェスターコーディングシンボルレートのＷＵＳがマンチェスターコーディングシンボル境界を有するときはいつでも、各ＷＵＳがマンチェスターコーディングシンボル境界を有するように、多重化の前に、生成されたＷＵＳを時間整合することとによって達成され得る。
【０１４１】
本明細書で説明されるコンテキストは、選択されたそれぞれのマンチェスターコーディングシンボルレートのすべてが互いに異なるので、ｎが０に等しくない整数であることを伴う。さらに、ペアの２つマンチェスターコーディングシンボルレートをどのように比較するか（すなわち、どちらが、係数の式において、それぞれ分子および分母であるか）に応じて、整数ｎは正または負のいずれかであり得る。
【０１４２】
ＯＦＤＭ信号生成器を使用したＷＵＳ生成を可能にするために、それぞれのマンチェスターコーディングシンボルレートの選択は、一般に、選択されたそれぞれのマンチェスターコーディングシンボルレートのすべてをＯＦＤＭシンボルレートに２のｋ乗の係数で関係付けされることをも含み、ここでｋが整数である。また、時間整合は、一般に、各ＷＵＳについて、各ＯＦＤＭシンボル境界が、ＷＵＳのマンチェスターコーディングシンボル境界と一致するか、または、ＷＵＳの各マンチェスターコーディングシンボル境界が、ＯＦＤＭシンボル境界と一致するかのいずれかであるように行われる。
【０１４３】
原則として、マンチェスターコーディングシンボルレートとＯＦＤＭシンボルレートとの間の関係が必要とされないことが留意され得る。マンチェスターコーディングシンボルレートがＯＦＤＭシンボルレートよりも小さい場合、マンチェスターコーディングシンボルレートとＯＦＤＭシンボルレートとの間の整数値関係を有することは好都合であり得る。たとえば、ユーザ１は、マンチェスターコーディングシンボルレート＝ＯＦＤＭシンボルレートの１／６を使用することができ、ユーザ２は、マンチェスターコーディングシンボルレート＝ＯＦＤＭシンボルレートの１／１２を使用することができる。
【０１４４】
マンチェスターコーディングシンボルレートは、ＯＦＤＭシンボルレートとどのように比較されるか（すなわち、どちらが、係数の式において、それぞれ分子および分母であるか）に応じて、およびマンチェスターコーディングシンボルレートが、ＯＦＤＭシンボルレートよりも高いのか低いのかに応じて、整数ｋは、正または負のいずれかであり得る。
【０１４５】
ＯＦＤＭシンボルが時間間隔３９３にわたる図３は、上記の２つの段落の要件を満たす、異なるＷＵＳ３１０、３２０、３３０、３４０、３５０を示す概略タイミング図である。
【０１４６】
ＷＵＳ３１０は、ＯＦＤＭシンボルレートの４倍であるマンチェスターコーディングシンボルレートを有し（ＯＦＤＭシンボル長３９３は、マンチェスターコーディングシンボル長３９１の４倍であり）、すなわちｋ＝２である。ＷＵＳ３２０は、ＯＦＤＭシンボルレートの２倍であるマンチェスターコーディングシンボルレートを有し（ＯＦＤＭシンボル長３９３は、マンチェスターコーディングシンボル長３９２の２倍であり）、すなわちｋ＝１である。ＷＵＳ３３０は、ＯＦＤＭシンボルレートと同じであるマンチェスターコーディングシンボルレートを有し（ＯＦＤＭシンボル長３９３は、マンチェスターコーディングシンボル長３９３に等しく）、すなわちｋ＝０である。ＷＵＳ３４０は、ＯＦＤＭシンボルレートの１／２であるマンチェスターコーディングシンボルレートを有し（ＯＦＤＭシンボル長３９３は、マンチェスターコーディングシンボル長３９４の１／２であり）、すなわちｋ＝−１である。ＷＵＳ３５０は、ＯＦＤＭシンボルレートの１／４であるマンチェスターコーディングシンボルレートを有し（ＯＦＤＭシンボル長３９３は、マンチェスターコーディングシンボル長３９５の１／４であり）、すなわちｋ＝−２である。
【０１４７】
ＷＵＳ３１０、３２０、３３０、３４０、３５０の各ペアのマンチェスターコーディングシンボルレートが２のｎ乗の係数だけ異なり（関係付けられ）、ここでｎが整数であることは、容易に了解される。たとえば、ＷＵＳ３２０およびＷＵＳ３５０のペアのマンチェスターコーディングシンボルレートは、８の係数で関係付けられ（マンチェスターコーディングシンボル長３９５はマンチェスターコーディングシンボル長３９２の８倍であり）、すなわちｎ＝３である（または、ペアがどのように順序付けられるかに応じて、ｎ＝−３である）。
【０１４８】
また、ＷＵＳシンボル境界とＯＦＤＭシンボル境界とが、上記で指定されたように時間的に整合されることが、容易にわかる。これらの性質のすべてが一緒に、直交性を生じ、ＯＦＤＭ信号生成器を使用したＷＵＳ生成を可能にする。
【０１４９】
図４および図５は、いくつかの実施形態による、異なるＷＵＳの多重化を概略的に示す。図４では、２つのＷＵＳ４２０および４３０（図３の３２０および３３０と比較されたい）が、合成信号４６０に多重化される。図５では、３つのＷＵＳ５２０、５３０および５４０（図３の３２０、３３０および３４０と比較されたい）が、合成信号５６０に多重化される。マンチェスターコーディングの復調性質（復調が平均シンボル値の影響を受けないこと）が、多重化の後に保持されることに留意されたい。
【０１５０】
図６は、メイン受信機をも備えるＷＣＤ中に備えられるように設定されたＷＵＲの例示的な方法６００を示す。ＷＣＤは、上記で説明されたようにネットワークノードによって送信され、２つ以上の多重化されたＷＵＳを備える、ＷＵＳメッセージを受信するように設定され、ＷＵＳのうちの１つ（特定のＷＵＳ）が、ＷＣＤのメイン受信機を起動するためのものである。
【０１５１】
ステップ６１０において、ＷＵＳメッセージが受信される。特定のＷＵＳのためのマンチェスターコーディングシンボルレートが、ステップ６２０において決定される。図６では、ステップ６２０は、ＷＵＳメッセージの受信の後に実施されるように示されている。しかしながら、マンチェスターコーディングシンボルレートの決定は、一般に、メイン受信機が起動していないステップ６１０の前に、メイン受信機によるネットワークノードとのネゴシエーションにおいて実施される。
【０１５２】
ＷＵＳメッセージは、決定されたマンチェスターコーディングシンボルレートを使用して、ステップ６３０において復調され、特定のＷＵＳが検出された場合（ステップ６４０から出るＹ経路）、メイン受信機は、ステップ６５０において起動される。特定のＷＵＳが検出されなかった場合（ステップ６４０から出るＮ経路）、ＷＵＲは、別のＷＵＳメッセージの受信のためにステップ６１０に戻り得る。ＷＵＳの検出は、ＷＵＳ検出のための任意の好適な手法、たとえば、当技術分野ですでに知られている相関およびしきい値検出を使用して達成され得る。
【０１５３】
ＦＥＣコーディングが特定のＷＵＳに適用される場合、本方法は、随意のステップ６２５によって示されているように、（場合によってはステップ６２０と並行して）ＦＥＣコードのパラメータ、たとえばＦＥＣコードレートおよび／または複雑度を決定することと、随意のステップ６３５によって示されているようにＦＥＣ復号を実施することとをも含み得る。
【０１５４】
時間同期も、ステップ６１５によって示されているように（場合によってはステップ６２０および／または随意のステップ６２５と並行して）実施され得る。
【０１５５】
図６ａは、いくつかの実施形態による、受信されたパケットを処理する無線受信機（たとえば、ＳＴＡなどの無線通信デバイス、またはＷＣＤ中に備えられるように設定されたＷＵＲ）のための例示的な方法６００ａを示す。方法６００ａは、方法６００の代替と考えられ得る。いくつかの実施形態では、方法６００ａの１つまたは複数のステップは、他の代替方法を提供するために、方法６００の対応する１つまたは複数のステップとマージされ得る。さらに、いくつかの実施形態では、方法６００ａの１つまたは複数のステップは、また他の代替方法を提供するために、方法６００の１つまたは複数のステップと組み合わせられ得る。
【０１５６】
随意のステップ６１０ａにおいて、パケット（たとえば、ＷＵＳメッセージ）が受信される。パケットは、同時に送信された２つ以上の多重化された信号（たとえば、２つ以上のＷＵＳ）を備え、各信号は、メッセージ（ＷＵＳメッセージと混同されるべきでない、対象とするユーザ／受信機についてのデータまたはペイロード）と、メッセージの対象とする受信機を示すプリペンドされたアドレスフィールドとを備える。２つ以上の信号は少なくとも部分的に時間的に互いに重複し、アドレスフィールドは時間的にスタッガされる。ステップ６１０ａは、たとえば、図６のステップ６１０に関して上記で説明されたように、および／または本明細書で別段に説明されるように実装され得る。
【０１５７】
随意のステップ６１５ａにおいて、無線受信機は、受信されたパケットに関して同期を実施する。たとえば、受信されたパケットが、多重化された２つ以上の信号にプリペンドされた共通の同期部分を備えるとき、無線受信機は、共通の同期部分に基づいて同期を実施し得る。
【０１５８】
随意のサブステップ６２０ａによって示されているように、同期ステップの一部として、第１のシンボルレート（第１の信号のシンボルレート）が決定され得る。たとえば、受信されたパケットが、多重化された２つ以上の信号にプリペンドされた共通の同期部分を備えるとき、サブステップ６２０ａは、共通の同期部分から第１の信号のシンボルレートを識別することを含み得る。
【０１５９】
典型的な例では、同期部分のシンボルレートは、２つ以上の信号のシンボルレートうちの最も低いシンボルレートである第１のシンボルレートに対応し、第１のアドレスフィールド（第１の信号のアドレスフィールド）は、パケットのスタッガされたアドレスフィールドのうちの時間的に最も早いアドレスフィールドである。
【０１６０】
ステップ６４０ａにおいて、アドレスフィールドのうちの第１のアドレスフィールドについて、第１のアドレスフィールドの対象とする受信機が無線受信機であるかどうか（すなわち、第１の信号のメッセージが無線受信機を対象とするかどうか）が決定される。サブステップ６２０ａにおいて第１の信号について識別されたシンボルレートは、第１のアドレスフィールドの対象とする受信機が無線受信機であるかどうかを決定するために使用され得る。典型的な例では、第１の信号について識別されたシンボルレートは、第１のアドレスフィールドが生成されたときに適用されており、したがって、無線受信機は、識別されると第１のシンボルレートを使用して第１のアドレスフィールドを解釈することが可能になる。
【０１６１】
第１のアドレスフィールドの対象とする受信機が無線受信機であるとき（ステップ６４０ａから出るＹ経路）、本方法はステップ６３０ａに進む。ステップ６３０ａにおいて、第１のメッセージを取り出すために、（第１のアドレスフィールドを備える）２つ以上の信号のうちの第１の信号が、第１の信号について識別されたシンボルレートを使用して復調される。
【０１６２】
第１のアドレスフィールドの対象とする受信機が無線受信機でないとき（ステップ６４０ａから出るＮ経路）、本方法はステップ６２１ａに進む。ステップ６２１ａにおいて、第１の信号のシンボルレートよりも高いシンボルレートとして、第２の信号のシンボルレートが識別される。
【０１６３】
典型的な例では、アドレスフィールドは、選択されたそれぞれのシンボルレートの昇順に対応する順序で時間的にスタッガされ、各シンボルレート間の知られている（絶対的または相対的）増加を伴い、第２のアドレスフィールド（第２の信号のアドレスフィールド）は、パケットのスタッガされたアドレスフィールドのうちの、時間的に第１のアドレスフィールドの後の次のアドレスフィールドである。たとえば、第２のアドレスフィールドは、第１のアドレスフィールドに後続し、直ちに後続するか、または所定のガード期間の後に第１のアドレスフィールドに続くかのいずれかであり得る。
【０１６４】
ステップ６４０ａに戻ると、アドレスフィールドのうちの第２のアドレスフィールドについて、第２のアドレスフィールドの対象とする受信機が無線受信機であるかどうか（すなわち、第２の信号のメッセージが無線受信機を対象とするかどうか）が決定される。サブステップ６２１ａにおいて第２の信号について識別されたシンボルレートは、第２のアドレスフィールドの対象とする受信機が無線受信機であるかどうかを決定するために使用され得る。典型的な例では、第２の信号について識別されたシンボルレートは、第２のアドレスフィールドが生成されたときに適用されており、したがって、無線受信機は、識別されると第２のシンボルレートを使用して第２のアドレスフィールドを解釈することが可能になる。
【０１６５】
第２アドレスフィールドの対象とする受信機が無線受信機であるとき（ステップ６４０ａから出るＹ経路）、本方法はステップ６３０ａに進む。ステップ６３０ａにおいて、第２のメッセージを取り出すために、（第２のアドレスフィールドを備える）２つ以上の信号のうちの第２の信号が、第２の信号について識別されたシンボルレートを使用して復調される。
【０１６６】
第２のアドレスフィールドの対象とする受信機が無線受信機でないとき（ステップ６４０ａから出るＮ経路）、本方法はステップ６２１ａに進む。ステップ６２１ａにおいて、第２の信号のシンボルレートよりも高いシンボルレートとして、第３の信号のシンボルレートが識別され、以下同様である。
【０１６７】
このプロセスは、一般に、無線受信機が対象とする受信機であることを示すアドレスフィールドが見つけられ、対応する信号が復調されるまで継続するか、またはパケット中にそれ以上アドレスフィールドがなくなるまで継続し、どちらが最初に起きても、それが起きるまで継続する。
【０１６８】
図７は、無線送信機（たとえば、ネットワークノード）のための例示的な構成／装置を示す。図７の例示的な構成／装置は、たとえば、図２および図２ａのいずれかまたは両方に関して説明された方法ステップを実施するように設定され得る。
【０１６９】
本構成は、ＯＦＤＭシンボルレートを適用するように設定されたＯＦＤＭ信号生成器を使用した、２つ以上のＷＵＳの同時送信のためのものであり、各ＷＵＳは、ＷＣＤのＷＵＲによるＷＵＳの検出に応答して、それぞれのＷＣＤのメイン受信機を起動するためのものである。
【０１７０】
このために、本構成は、２つ以上のＷＵＳの各々についてのそれぞれのマンチェスターコーディングシンボルレートの（たとえばセレクタ（ＳＥＬ）７０１による）選択を引き起こすように設定されたコントローラ（ＣＮＴＲ）７００を備え、選択されたそれぞれのマンチェスターコーディングシンボルレートのすべてが、互いに異なり、選択されたそれぞれのマンチェスターコーディングシンボルレートを有するすべてのマンチェスターコードが、互いに直交する。
【０１７１】
コントローラ７００は、ＯＦＤＭ信号生成器と、選択されたそれぞれのマンチェスターコーディングシンボルレートのマンチェスターコードの適用とを使用して、２つ以上のＷＵＳの各々の（たとえば信号生成器（ＧＥＮ）７１０による）生成を引き起こすようにも設定される。
【０１７２】
コントローラ７００は、ＷＵＳメッセージ中での（たとえばトランシーバ（ＴＸ／ＲＸ）７３０による）送信のための２つ以上のＷＵＳの（たとえばマルチプレクサ（ＭＵＸ）７２０による）多重化を引き起こすようにも設定される。
【０１７３】
選択されたそれぞれのマンチェスターコーディングシンボルレートが、ＯＦＤＭシンボルレートよりも低いとき、ＷＵＳの生成は、ＷＵＳのシンボルへのマンチェスターコードの適用と、結果をＯＦＤＭ信号生成器に入力することとによって実装され得る。選択されたそれぞれのマンチェスターコーディングシンボルレートが、ＯＦＤＭシンボルレートを２のｍ乗で除算したものに等しく、ここでｍが正の整数である、とき、結果をＯＦＤＭ信号生成器に入力する前に、２のｍ乗の同一のマンチェスターコーディングされたシンボルを作り出すために、マンチェスターコーディングされたシンボルの各々の繰返しが適用され得る。
【０１７４】
選択されたそれぞれのマンチェスターコーディングシンボルレートが、ＯＦＤＭシンボルレートに等しいかまたはＯＦＤＭシンボルレートよりも大きいとき、ＷＵＳの生成は、ＷＵＳのシンボルに基づく、ＯＦＤＭ信号生成器からの出力へのマンチェスターコードのオンオフキーイング様式での適用によって実装され得る。この手法は、代替または追加として、選択されたそれぞれのマンチェスターコーディングシンボルレートがＯＦＤＭシンボルレートよりも低いときにも使用され得る。
【０１７５】
代替または追加として、図７の装置は、２つ以上の信号の同時送信のためのパケットを準備するためのものであり、各信号が、メッセージと、メッセージの対象とする受信機を示すプリペンドされたアドレスフィールドとを備える。
【０１７６】
このために、本装置は、少なくとも部分的に互いに重複するように時間的に２つ以上の信号を編成することを引き起こすことによって、パケット中での（たとえば、トランシーバ（ＴＸ／ＲＸ）７３０など、送信回路要素による）送信のための２つ以上の信号の（たとえば、マルチプレクサ（ＭＵＸ）７２０など、多重化回路要素による）多重化を引き起こすように設定された制御回路要素（たとえば、コントローラ（ＣＮＴＲ））７００を備え、２つ以上の信号を編成することが、時間的にアドレスフィールドをスタッガすることを含む。
【０１７７】
コントローラは、２つ以上の信号の各々の生成のためのそれぞれのシンボルレートの（たとえば、セレクタ（ＳＥＬ）７０１など、選択回路要素による）選択であって、選択されたそれぞれのシンボルレートのすべてが互いに異なる、選択と、アドレスフィールドとメッセージとへの選択されたそれぞれのシンボルレートの適用による、２つ以上の信号の各々の（たとえば、信号生成器（ＧＥＭ）７１０など、生成回路要素による）生成とを引き起こすようにも設定される。
【０１７８】
概して、図７に関して上記で説明された様々な部分は、好適なように、コントローラ７００中に備えられるか、コントローラ７００に動作可能に接続されるか、または場合によってはコントローラ７００に関連し得る。
【０１７９】
図８は、ＯＦＤＭ信号生成器を使用したＷＵＳ生成のための例示的な構成を示す。図８の構成は、たとえば、図７のブロック７１０を実装するために使用され得る。本構成は、２つの入力８０１、８０２と、２つのマンチェスターエンコーダ（ＭＣ）８２０、８６０と、リピータ（ＲＥＰ）８３０と、２つのスイッチ８４５、８５５と、ＩＦＦＴ８４０と、サイクリックプレフィックス生成器（ＣＰ）８５０と、２つの出力８０３、８０４とを備える。随意に、本構成は、ＦＥＣエンコーダ８１０、８７０をも備え得る。
【０１８０】
選択されたそれぞれのマンチェスターコーディングシンボルレートが、ＯＦＤＭシンボルレートよりも低いとき、ＷＵＳの生成は、８０２においてＯＯＫ信号を入力することと、スイッチ８４５、８５５を図８に示されている位置にあるようにすることと、出力信号として８０３における信号を使用することとによって実装され得る。リピータ８３０は、選択されたそれぞれのマンチェスターコーディングシンボルレートが、ＯＦＤＮシンボルレートを２のｍ乗で除算したものに等しいとき、結果をＯＦＤＭ信号生成器に入力する前に、２のｍ乗の同一のマンチェスターコーディングされたシンボルを作り出すために使用され得る（異なる係数を用いた他の繰返しパターンも可能である）。
【０１８１】
選択されたそれぞれのマンチェスターコーディングシンボルレートが、ＯＦＤＭシンボルレートに等しいかまたはＯＦＤＭシンボルレートよりも大きいとき、ＷＵＳの生成は、８０１において任意の好適な非０信号を入力することと、スイッチ８４５、８５５を図８に示されている位置の反対の位置にあるようにすることと、出力信号として８０４における信号を使用することとによって実装され得る。この状況では、８６０におけるマンチェスターコーディングは、マンチェスターコードに従って、信号レベルが高いとき、そのまま信号を渡すことと、マンチェスターコードに従って、信号レベルが低い（すなわち０である）とき、信号を阻止する（またはヌリングする）こととによって達成される。したがって、マンチェスターコードは、ＷＵＳのシンボルに基づいて、ＯＦＤＭ信号生成器からの出力にオンオフキーイング様式で適用される。
【０１８２】
いくつかの実施形態では、ＯＦＤＭ信号生成器を使用したＷＵＳ生成のための例示的な構成は、図８の太字部分によって示されるように、ただ１つの入力８０１と、１つのマンチェスターエンコーダ（ＭＣ）８６０とを備え、リピータまたはスイッチを備えず、ＩＦＦＴ８４０と、サイクリックプレフィックス生成器（ＣＰ）８５０と、１つの出力８０４と、随意に、１つのＦＥＣエンコーダ８７０とを備える。この構成は、マンチェスターコーディングシンボルレートにかかわらずＷＵＳのシンボルに基づく、ＯＦＤＭ信号生成器からの出力へのマンチェスターコードのオンオフキーイング様式での適用によって実装される、ＷＵＳの生成に対応する。
【０１８３】
２つ以上のＷＵＳの多重化は、異なる実施形態では、信号生成チェーンの異なる部分において実装され得る。
【０１８４】
いくつかの実施形態では、多重化は、ＩＦＦＴの前におよびマンチェスター符号化の後に実施され得る。そのような手法は、特に、入力８０２および出力８０３が使用されるとき、ＯＦＤＭシンボルレートよりも低いマンチェスターコーディングシンボルレートのために適用可能である。
【０１８５】
他の実施形態では、多重化は、ＩＦＦＴの後におよびマンチェスター符号化の後に、すなわち出力８０３、８０４において実施され得る。そのような手法は、（入力８０２および出力８０３、または入力８０１および出力８０４が使用されるとき）ＯＦＤＭシンボルレートよりも低いマンチェスターコーディングシンボルレートと、（８０１および出力８０４が使用されるとき）ＯＦＤＭシンボルレートに等しいかまたはＯＦＤＭシンボルレートよりも大きいマンチェスターコーディングシンボルレートとの両方のために適用可能である。
【０１８６】
図９Ａは、メイン受信機をも備えるＷＣＤ中に備えられるＷＵＲ９１０ａのための例示的な構成を示す。図９Ａの例示的な構成は、たとえば、図６に関して説明された方法ステップを実施するように設定され得る。
【０１８７】
本構成は、（たとえばトランシーバ（ＴＸ／ＲＸ）９３０ａによる）ＷＵＳメッセージの受信と、（たとえば、たとえば図９Ａに示されているＷＵＲ中に備えられる、または図９Ａに示されていないメイン受信機中に備えられる決定器（ＤＥＴ）９０１ａによる）選択されたそれぞれのマンチェスターコーディングシンボルのうちのどれを適用すべきかの決定とを引き起こすように設定されたコントローラ（ＣＮＴＲ）９００ａを備える。コントローラは、決定されたマンチェスターコーディングシンボルレートを使用した、ＷＵＳメッセージの復調と、特定のＷＵＳが検出されたかどうかの決定と、特定のＷＵＳの検出に応答するメイン受信機の起動とを引き起こすようにも設定される。
【０１８８】
図９Ｂは、無線受信機（メイン受信機をも備えるＷＣＤ中に備えられるＷＵＲ）のための例示的な構成／装置を示す。図９Ｂの例示的な構成／装置は、たとえば、図６および６ａのいずれかまたは両方に関して説明された方法ステップを実施するように設定され得る。
【０１８９】
本構成は、（たとえばトランシーバ（ＴＸ／ＲＸ）９３０ｂによる）ＷＵＳメッセージの受信と、（たとえば、たとえば図９Ｂに示されているＷＵＲ中に備えられる、または図９Ｂに示されていないメイン受信機中に備えられる決定器（ＤＥＴ）９０１ｂによる）選択されたそれぞれのマンチェスターコーディングシンボルのうちのどれを適用すべきかの決定とを引き起こすように設定されたコントローラ（ＣＮＴＲ）９００ｂを備える。コントローラは、決定されたマンチェスターコーディングシンボルレートを使用した、ＷＵＳメッセージの復調と、特定のＷＵＳが検出されたかどうかの決定と、特定のＷＵＳの検出に応答するメイン受信機の起動とを引き起こすようにも設定される。
【０１９０】
代替または追加として、図９Ｂの装置は、同時に送信された２つ以上の多重化された信号を備える受信されたパケットを処理するためのものであり、各信号が、メッセージと、メッセージの対象とする受信機を示すプリペンドされたアドレスフィールドとを備え、２つ以上の信号が少なくとも部分的に時間的に互いに重複し、アドレスフィールドが時間的にスタッガされる。パケットは、トランシーバ（ＴＸ／ＲＸ）９３０ｂなど、受信回路要素によって受信される。
【０１９１】
このために、本構成は、アドレスフィールドについて、アドレスフィールドの対象とする受信機が無線受信機であるかどうかの（たとえば、決定器（ＤＥＴ）９０１ｂなど、決定回路要素による）決定と、アドレスフィールドの対象とする受信機が無線受信機であることに応答する、アドレスフィールドを備える２つ以上の信号のうちの信号の（たとえば、復調器（ＤＥＭＯＤ）９２０ｂなど、復調回路要素による）復調とを引き起こすように設定された制御回路要素（たとえば、コントローラ（ＣＮＴＲ））９００ｂを備える。
【０１９２】
コントローラ９００ｂは、多重化された２つ以上の信号にプリペンドされた共通の同期部分を使用して、（たとえば、シンクロナイザ（ＳＹＮＣ）９０３ｂなど、同期回路要素による）同期を引き起こすようにも設定される。
【０１９３】
コントローラ９００ｂは、信号のシンボルレートの（たとえば、識別器（ＩＤ）９０２ｂなど、識別回路要素による）識別と、アドレスフィールドの対象とする受信機が無線受信機であるかどうかの決定のために、識別されたシンボルレートを使用することとを引き起こすようにも設定される。
【０１９４】
概して、図９Ｂに関して上記で説明された様々な部分は、好適なように、コントローラ９００ｂ中に備えられるか、コントローラ９００ｂに動作可能に接続されるか、または場合によってはコントローラ９００ｂに関連し得る。
【０１９５】
図１０は、ＷＵＲ１００１とメイン受信機（ＭＲ）１００１とを備える例示的な構成１０００を概略的に示す。図９Ａおよび図９Ｂのいずれかの構成の部分は、たとえば、図１０のブロック１００１中に備えられ得る。
【０１９６】
低電力モードでは、メイン受信機１００２はオフにされ（あるいはスリープモードまたは同様のものにセットされ）、スイッチ１００３は、図１０に示されている位置にセットされる。ＷＵＲがＷＵＳを検出したとき、それは、（制御信号１００４によって示される）スイッチの位置の変化と、（制御信号１００５によって示される）メイン受信機の起動とを引き起こす。
【０１９７】
ＷＵＲを使用する他の実装形態は、本明細書で提示されるコンテキストにおいて等しく適用可能であり得ること、および図１０の構造は一例として提供されるにすぎないことを理解されたい。たとえば、スイッチ１００３は、同様の機能を提供する回路要素によって置き換えられ得るか、またはＷＵＲのための１つのアンテナとメイン受信機のための１つのアンテナとがあり得る（スイッチが不要になる）。
【０１９８】
図１１は、いくつかの実施形態による、例示的なＷＵＲ受信チェーン１１００を概略的に示す。図１１の構成の部分は、たとえば、図１０のブロック１００１中におよび／または図９Ａのブロック９１０ａ中に備えられ得る。
【０１９９】
図１１のＷＵＲ受信チェーンは、低雑音増幅器（ＬＮＡ）１１０１と、ＬＮＡの出力を局部発振器（ＬＯ）信号１１０３と混合するためのミキサ１１０２とを備える。ミキサの出力は、さらなる増幅器１１０４を通った後にチャネル選択フィルタ（ＣＳＦ）１１０５に与えられ、フィルタ処理された信号は包絡線検出器１１０６に入力される。包絡線検出器の出力において、アナログデジタル変換器（ＡＤＣ）１１０７と、マンチェスター復号、および適用可能なとき、ＦＥＣ復号のためのデコーダ（ＤＥＣ）１１０８と、相関器（ＣＯＲＲ）１１０９とが与えられる。
【０２００】
図１２は、いくつかの実施形態による、例示的なＷＵＳメッセージ１２００を概略的に示す。ＷＵＳメッセージは、時間同期のための第１の部分（ＳＹＮＣ）１２１０と、多重化された２つ以上のＷＵＳを備える第２の部分（ＷＵＳ  ＤＡＴＡ）１２３０とを備える。ＷＵＳメッセージは、随意に、第１の部分と第２の部分との間にヘッダ部分（ＨＥＡＤ）１２２０を備え得る。
【０２０１】
第１の部分（同期部分）は、一般に、ＷＵＳメッセージが向けられたＷＣＤのすべてによる時間同期のためのものであり、ＷＣＤのすべてについて共通である（すなわち、区別された符号化および多重化でない）。第１の部分は、単一の、固有の、所定のシーケンスからなり得るか、または、第１の部分は、いくつかの代替シーケンスのうちの１つを備え得る（それにより情報を伝達することが可能である）。そのような伝達される情報は、たとえば、ＦＥＣコーディングパラメータ（たとえばＦＥＣコードレート）、メッセージ持続時間、およびマンチェスターコーディングシンボルレート（たとえば、最も低い、使用されるシンボルレート）のうちの１つまたは複数に関係し得る。代替または追加として、そのような情報は、ヘッダ部分中に備えられ得る。したがって、第１の部分および／またはヘッダ部分は、図６のステップ６１５、６２０および６２５のうちの１つまたは複数、ならびに／または図６ａのステップ６１５ａ、６２０ａ、６２１ａおよび６４０ａのうちの１つまたは複数において使用され得る。
【０２０２】
したがって、（たとえば同期ワード（ｓｙｎｃｗｏｒｄ）と示される）パケットの第１の部分は、受信機の同期のために使用される。この第１の部分は、パケット検出、高精度時間同期、および周波数推定を可能にし得る。同期ワードは、一般に、受信機が相関器によって探索しているであろう、知られている信号であり得る。
【０２０３】
いくつかの例では、受信機は、同期ワードが見つけられると、パケットのヘッダ部分を復調することによって処理を続け得る。パケットヘッダは、ＷＵＳ持続時間、ＷＵＳデータレート、およびＦＥＣコードパラメータのような情報を含んでいることがある。
【０２０４】
直交するであろう同期ワードを作成するための１つのやり方は、上記で説明された手法を使用することによるものである。同期ワード作成のための別の代替形態は、良好な自己相関性質をもつシーケンス、たとえば最大長シフトレジスタ（ＭＬＳＲ）によって生成された最大長擬似雑音（ＰＮ）シーケンスを使用することである。
【０２０５】
受信機がヘッダを復調すると、受信機は、パケットのＷＵＳデータ部分を復調するために必要な情報（たとえばマンチェスターコーディングシンボルレートおよびＦＥＣコーディングパラメータ）を有する。
【０２０６】
様々な実施形態では、検出プロセスにおいてどのマンチェスターコーディングシンボルレート（およびどのＦＥＣレート）を適用すべきかをＷＣＤが決定するための異なるやり方がある。
【０２０７】
いくつかの手法では、（上記レートのうちの１つまたは複数を含む）ＷＵＳフォーマットは、メイン受信機を使用してネゴシエートまたは規定される。一般に、特定のメイン受信機を起動するためにＷＵＳが送られるたびに、同じＷＵＳが使用され得るが、原則として、ＷＵＳは、メイン受信機が起動しているときはいつでもこれらの手法で変更され得る。
【０２０８】
いくつかの手法では、いくつかのＷＵＳフォーマットパラメータが、上記のように第１の部分および／またはヘッダ部分によって伝達され得る。そのような手法では、パラメータは、第１の部分および／またはヘッダ部分中にＷＣＤ（またはＷＵＲ）識別子を含めることによって、特定のＷＵＲに向けられ得る。
【０２０９】
そのような識別子は、識別子に関連付けられたＷＵＲに向けられたＷＵＳがあることを暗黙的に述べるが、識別子の検出をＷＵＳ復号および検出と組み合わせる際の何らかの使用があり得る。たとえば、識別子が誤って検出された場合、（たとえばＷＵＳ中に含まれるサイクリック冗長検査（ＣＲＣ）による）ＷＵＳ処理が誤りを明らかにし得、メイン受信機の不要な起動が回避され得る。さらに、ＷＵＳが、メイン受信機を起動すること以外の目的のために（たとえば小さいデータを搬送するために）使用される場合、識別子の適用は極めて適切である。
【０２１０】
概して、同時に送信される２つ以上の信号（必ずしもＷＵＳとは限らない）にどの（異なる）シンボルレート（必ずしもマンチェスターコーディングレートとは限らない）を適用すべきかを決定するための異なるやり方があり得、そのうちのいくつかが以下で詳述される。
【０２１１】
以下でわかるように、アドレスフィールドは、選択されたそれぞれのシンボルレートの昇順に対応する順序で時間的にスタッガされ得、各シンボルレート間の知られている（絶対的または相対的）増加を伴う。それにより、最も低いシンボルレートが知られると、他のシンボルレートは、必要に応じて（一般に再帰的に）容易に決定される。
【０２１２】
最も低いシンボルレートは、あらかじめネゴシエートまたは規定され得るか、あるいは同期部分から取出し可能であり得る。一般に、パケットが送られるたびに、同じ最も低いシンボルレートが使用され得るが、原則として、最も低いシンボルレートは動的にまたは半静的に変更され得る。
【０２１３】
いくつかの手法では、（上記レートのうちの１つまたは複数を含む）ＷＵＳフォーマットは、メイン受信機を使用してネゴシエートまたは規定される。一般に、特定のメイン受信機を起動するためにＷＵＳが送られるたびに、同じＷＵＳが使用され得るが、原則として、ＷＵＳは、メイン受信機が起動しているときはいつでもこれらの手法で変更され得る。
【０２１４】
いくつかの手法では、いくつかのＷＵＳフォーマットパラメータが、上記のように第１の部分および／またはヘッダ部分によって伝達され得る。そのような手法では、パラメータは、ヘッダ部分中にＷＣＤ（またはＷＵＲ）識別子（アドレスフィールド）を含めることによって、特定のＷＵＲに向けられ得る。
【０２１５】
図１２ａおよび図１２ｂを参照しながら、パケット中のすべての信号についての同じ同期シーケンスの使用を可能にし、ならびに、異なるシンボルレートを有する、異なる、ただし同時に送信されるサブパケットを用いた、異なる無線受信機の効率的なアドレス指定を可能にする、パケット構造が例示される。
【０２１６】
図１２ａは、いくつかの実施形態による、例示的なパケット（たとえば、ＷＵＳメッセージ）１２００ａを概略的に示す。例示的なパケット１２００ａは、これらの実施形態の基本的なパケット構造を示すために、単一の対象とする受信機のための単一の信号を含む。
【０２１７】
パケット１２００ａは、時間同期のための同期部分（ＳＹＮＣ）１２１０ａと、対象とする受信機のためのメッセージを備えるメッセージ部分（ＤＡＴＡ）１２３０ａとを備える。パケットは、メッセージ部分にプリペンドされたヘッダ部分（ＨＥＡＤ）１２２０ａをも備える。ヘッダ部分は、メッセージ部分のメッセージの対象とする受信機を示すアドレスフィールド（ＡＤＤＲ）１２２５ａを備える。
【０２１８】
随意に、ヘッダ部分は、フレーム制御フィールド（ＦＣ）１２２１ａと汎用制御フィールド（ＣＯＮＴＲ）１２２６ａとによって図１２ａに例示される、他のフィールドをも備え得る。フレーム制御フィールドは、対象とする受信機のための信号に関係付けられた情報（たとえば、メッセージ部分の長さ、ヘッダ部分＋メッセージ部分の全長、メッセージ部分のシンボルおよび／またはコーディングレートなどのうちの１つまたは複数）を示し得る。汎用制御フィールドは、対象とする受信機のための信号に関係付けられた他の情報を示し得る。たとえば、汎用制御フィールドは、タイプ依存（ＴＤ）制御フィールドであり得る。
【０２１９】
図１２ｂは、いくつかの実施形態による、例示的なパケット（たとえば、ＷＵＳメッセージ）１２００ｂを概略的に示す。例示的なパケット１２００ｂは、時間的にアドレスフィールドをスタッガすることを示すために、３つのそれぞれの対象とする受信機のための３つの信号を含む。
【０２２０】
パケット１２００ｂは、時間同期のための同期部分（ＳＹＮＣ）１２１０ｂを備える。同期部分は、一般に、パケットの対象とする受信機のすべてによる時間同期のためのものであり、対象とする受信機のすべてについて共通である。一般に、同期部分は、単一の、固有の、所定のシーケンスからなり得る。同期部分は、対象とする受信機のために使用される異なるシンボルレートのうちの最も低いシンボルレートに関係付けられ得る。そのような最も低いシンボルレートは、あらかじめ知られ得る（たとえば、最も低いシンボルレートは事前決定され得るか、あるいは最も低いシンボルレートは、パケットの送信前に動的にまたは半静的にネゴシエートされ得る）か、または同期部分によって伝達され得る。したがって、同期部分は、図６ａのステップ６１５ａおよび６２０ａのうちの１つまたは複数において使用され得る。
【０２２１】
３つの信号の各々は、それぞれの対象とする受信機のためのメッセージを備えるメッセージ部分（ＤＡＴＡ）１２３０ｂ、１２３０ｃ、１２３０ｄと、それぞれのメッセージ部分にプリペンドされ、それぞれの対象とする受信機を示すそれぞれのアドレスフィールド（ＡＤＤＲ）１２２５ｂ、１２２５ｃ、１２２５ｄを備えるヘッダ部分（ＨＥＡＤ）１２２０ｂ、１２２０ｃ、１２２０ｄとを備える。
【０２２２】
ヘッダ部分＋メッセージ部分の全長は、図１２ｂに示されているように異なり得る。たとえば、これは、メッセージ部分が異なる長さのものであることによるものであり、および／または異なるメッセージのために異なるシンボルレートが使用されることによるものであり得る。一般に、各メッセージがＷＵＳであるとき、それらは、本明細書で前に説明されたように、異なるマンチェスターコーディングレートを使用して符号化され得る。
【０２２３】
３つの信号は、時間的にアドレスフィールドをスタッガしながら、少なくとも部分的に互いに重複するように時間的に２つ以上の信号を編成することによって、パケット中での同時送信のために多重化される。典型的な実装形態では、アドレスフィールドは、選択されたそれぞれのシンボルレートの昇順に対応する順序で時間的にスタッガされ、各シンボルレート間の知られている（絶対的または相対的）増加を伴う。これは、以下の点で図１２Ｂに示されている。
−  メッセージ１２３０ｂを搬送する信号のヘッダは、最も低いシンボルレート（同期部分のために使用されるものと同じシンボルレート）を使用してこの信号が生成されるので、同期部分の直後に配置され、
−  メッセージ１２３０ｃを搬送する信号のヘッダは、次に最も低いシンボルレートを使用してこの信号が生成されるので、次いで続き、
−  メッセージ１２３０ｂを搬送する信号をヘッダは、最も高いシンボルレートを使用してこの信号が生成されるので、３つの信号のヘッダのうちの最後に配置される。
【０２２４】
概して、時間的にアドレスフィールドをスタッガすることは、時間的に重複しないシーケンスでアドレスフィールドを配置すること、および／またはアドレスフィールドが互いに、次々に続くように、時間的にアドレスフィールドを配置することとして規定され得る。
【０２２５】
一般に、アドレスフィールドは、受信機が、受信機が第１のアドレスフィールドによって示された対象とする受信機であるかどうかを検査すること、および、受信機がその対象とする受信機でない場合、受信機が第２のアドレスフィールドによって示された対象とする受信機であるかどうかを検査することなどを可能にするようにスタッガされるべきである。したがって、アドレスフィールドは、一般に、互いに重複するべきでない。適用可能な場合、（たとえば、異なるシンボルレートを使用する）次のアドレスフィールドの処理のための受信機の再設定を可能にするために、ガードタイムが時間的にアドレスフィールドの間で使用され得る。
【０２２６】
したがって、アドレスフィールドをスタッガすることは、前の（たとえば、第１の）アドレスフィールドが終了したとき、直ちに次の（たとえば、第２の）アドレスフィールドを開始させること、または、前のアドレスフィールドが終了した後にガードタイムが経過したとき、次のアドレスフィールドを開始させることを含み得る。
【０２２７】
図１２ｂでは、アドレスフィールドは、前のアドレスフィールドが終了したとき、直ちに、次のアドレスフィールドを備えるヘッダフィールドが開始するようにスタッガされる。代替形態は、前のアドレスフィールドを備えるヘッダフィールドが終了したとき、直ちに、次のアドレスフィールドを備えるヘッダフィールドが開始するように、アドレスフィールドをスタッガすることであり得る。
【０２２８】
典型的な実施形態では、アドレスフィールドは、選択されたそれぞれのシンボルレートの昇順に対応する順序で時間的にスタッガされ得、各シンボルレート間の知られている（絶対的または相対的な、たとえば、２ｎなどの係数で異なる）増加を伴う。それにより、最も低いシンボルレートが知られると、他のシンボルレートは、必要に応じて（一般に再帰的に）容易に決定される。
【０２２９】
もちろん、図１２ａおよび／または図１２ｂのパケット構造（およびこれに関して説明された関係付けられた原理）は、スタッガされたアドレスフィールドを用いて２つ以上のＷＵＳが多重化されるＷＵＳメッセージを提供するための図１２のＷＵＳメッセージ構造の特徴と組み合わせて使用され得る。
【０２３０】
対象とする受信機（ユーザ）のすべてについて同じ同期シーケンスを有することは必要でないが、同期を取得するためにすべてのユーザに同じ信号を使用させることは有利であり得る。これの理由は、総送信電力が一般に限定されるであろうこと、およびいくつかの直交同期シーケンスが（各ターゲットにされたユーザに対して１つ）使用されるべきである場合、各個々の同期シーケンスのために使用され得る電力は、対応して低減されるであろうことである。
【０２３１】
したがって、異なるデータ（シンボル）レートの信号を多重化するためのパケット構造が、提供される。典型的な実施形態では、２つ以上のＷＵＳが、単純な直交コードを使用することによって多重化され、周波数生成またはフィルタ処理に関する要件を増加させないために同じ周波数上で送信される。直交コードの構築が、マンチェスターコーディングを利用し得、これは、その構築が、異なる受信機にとって信号の多重化が完全に透過的であるように作られ得ることを意味する。これは、本明細書の手法が、規格化プロセス中の後の段階において導入され得、レガシー受信機を対象とする信号の多重化を可能にすることをも意味する。
【０２３２】
同期シーケンスを含む、パケットの受信のために必要とされ得る制御シグナリングが、本明細書で開示されるように設計され得る。これは、多重化が、多重化能力なしに当初設計されたシステムに対する影響なしにまたは極めて軽微な影響を伴って、導入され得るという利点を有する。
【０２３３】
様々な実施形態の利点は、マンチェスターコーディングが使用されるときに信号を多重化するための単純でフレキシブルなやり方の提供をさらに含む。多重化は、受信機にとって完全に透過的であり得、したがって、すでに存在する規格に導入されるか、または場合によっては、プロプライエタリ特徴として導入され得る。
【０２３４】
本明細書で詳述されるように異なるユーザへのデータを多重化することが望ましいことがあるが、同期を取得するためにすべてのユーザに同じ信号を使用させることが有利であり得ることが、論じられ得る。これの理由は、総送信電力が一般に限定され得ること、およびいくつかの直交同期シーケンスが、各ターゲットにされたユーザ（対象とする受信機）に対して１つ使用されるであろう場合、各個々のシーケンスのために使用され得る電力は、対応して低減されることになることである。
【０２３５】
考えられる必要がある別の実際的問題は、２つ以上の受信機に、異なる対象とする受信機についてどのシンボルレートが選択されたかをどのようにシグナリングすべきかである。
【０２３６】
これらの問題点、すなわち同期およびシンボルレート情報の両方が、（図１２ａに示されている構造の変形態として見られ得る）図１２ｃに示されているパケット構造の適用によって解決され得る。
【０２３７】
図１２ｃ中のパケットの第１の部分は、時間同期を見つけるために（１つまたは複数の）受信機によって使用される同期ワードを備える（たとえば、含んでいる）。潜在的に、同期ワードは、他の目的、たとえば、周波数同期、自動利得制御（ＡＧＣ）トレーニングなどのためにも使用され得る。媒体アクセス制御（ＭＡＣ）ヘッダが、同期ワードの後に配置される。
【０２３８】
いくつかのパケット構造実装形態では、ヘッダが、異なる信号のためのヘッダを備え、上記で説明されたように直交マンチェスターコーディングを使用して符号化されること、または、ヘッダが、たとえば、データ（シンボル）レートを示す個々の受信機への多重化されていない情報を含んでいることが仮定され得る。
【０２３９】
これらの手法は、システムが、最初からパケット内での信号多重化のために設計された場合、実現可能であり得るが、そのような手法は、信号多重化能力がシステム設計のより後の段階において追加される場合、好適でないことがある。
【０２４０】
さらに、ヘッダの性能は、上記の手法が使用される場合、劣化され得る。すべての受信機が、多重化なしに同じヘッダによってアドレス指定される場合、ヘッダの長さ（およびしたがって持続時間）が増加される必要があり得るので、劣化は、より多くのオーバーヘッドに関するものであり得る。異なる受信機を対象とするヘッダ情報が多重化される場合、総受信電力が２つ以上の直交スチーム間で共有される必要があり得るので、劣化は、性能に関するものであり得る。
【０２４１】
ヘッダを多重化することのまた別の欠点は、潜在的な受信機が、一般に、その受信機がどのデータ（シンボル）レートによってアドレス指定されているかを知らないことである。したがって、受信機は、一般に、受信機がそのパケット中でアドレス指定されているかどうかを見つけ出し、受信機がそのパケット中でアドレス指定されている場合、どのシンボルレートがメッセージのために適用可能であるかを見つけ出すために、いくつかの（および、場合によってはすべての）可能なデータレートを使用して復調する必要があり得る。
【０２４２】
２つ以上の信号を単一のパケット中で多重化するときの前述のまたは他の欠点のうちの少なくともいくつかを回避するために、図１２ｃに示されているパケット構造のようなパケット構造が採用され得る。特にこの例では、受信機をアドレス指定するためにどんなデータレートが使用されるかに関係なく、すべての受信機について同じ同期ワードが使用され、制御データフィールド（少なくともアドレスフィールド）が時間的にスタッガされる。好ましくは、スタッガすることは、より低いデータレートのための制御データが、より高いデータレートのための制御データの前に来るように行われる。
【０２４３】
図１２ｃの例では、制御データは、ＭＡＣヘッダ中で送信され、フレーム制御（たとえば、制御データがブロードキャストパケットであるのか、ユニキャストパケットであるのか）、（ブロードキャストパケットの場合、送信機のアドレスであり得、ユニキャストパケットの場合、対象とする受信機のアドレスであり得る）アドレスフィールドのような情報を備え得る。いくつかの実施形態では、図１２ｃ中のタイプ依存（ＴＤ）制御によって示されている、パケットのタイプに依存する追加の制御情報があり得る。
【０２４４】
一例では、フレーム制御は８ビット（３〜４がタイプを示すためのものであり、３〜４が長さを示すためのものおよび／または種々（ｍｉｓｃｅｌｌａｎｅｏｕｓ）のものであり、０〜２が予約済みである）を備え得、アドレスは１２ビットを備え得、ＴＤ制御は１２ビットを備え得る。この例は、特に、たとえば、ＩＥＥＥ８０２．１１規格のコンテキストにおいて、ＷＵＳ送信に適用可能であり得る。
【０２４５】
多重化がないであろう場合、どのデータレートが使用されるかを受信機にシグナリングするための魅力的な手段は、異なるレートのために異なる同期ワードを使用することによるものである。しかしながら、上述のように、オーバーヘッドおよび／または性能を許容レベルに保つために単一の同期ワードを使用することが、多重化シナリオにおいて望ましいことがある。
【０２４６】
したがって、１つの好適なパケット構造は、多重化された信号を搬送するパケットのために使用される同期ワードが、多重化された信号の最も低いシンボルレートの情報を搬送するパケットのために使用される同期ワードであることを伴う。したがって、同期ワードが受信された直後に、受信機は、パケットが多重化されたパケットではないかのように、最も低いシンボルレートに従って同期ワードの後の信号を処理し続け得る。
【０２４７】
一例では、多重化は、ＭＡＣヘッダ中で明示的に示される。この例によれば、パケットが多重化されたデータを搬送しているという指示が、（少なくとも第１の）ＭＡＣヘッダ中でシグナリングされる。これは、たとえば、多重化を特定のパケットタイプとして規定することによって、フレーム制御フィールドを使用して実装され得る。ＭＡＣヘッダを処理する受信機は、それにより、最も低いシンボルレートを使用する信号に加えて、（１つまたは複数の）他の信号が、より高いレートを使用してパケット中で多重化されるかどうかを知ることになる。
【０２４８】
受信機は、受信機が最も低いデータレートを使用してアドレス指定されているかどうか決定するために、第１のＭＡＣヘッダ中のアドレスフィールドを処理し続け得る。受信機がそれ自体のアドレスをアドレスフィールド中で識別した場合、受信機は、最も低いレートを使用して、すなわち多重化が適用されなかった場合と同じやり方で、パケットの残りの部分を処理し続け得る。一般に、受信機は、この場合、多重化されたストリーム中の追加情報を探索しないことになる。しかしながら、受信機が、それ自体のアドレスを（最も低いレートにおける）第１のＭＡＣヘッダのアドレスフィールド中で識別しなかった場合、受信機は、より高いデータレートを使用して受信機がアドレス指定されているかどうかを決定するために、より高いデータレートにシフト（再設定）し、次の（第２の）ＭＡＣヘッダ中のアドレスフィールドを処理する。そのプロセスは、すべてのレートが試みられるまで、または受信機がそれ自体のアドレスをアドレスフィールド中で識別するまで、繰り返される。
【０２４９】
いくつかの実施形態によれば、ＭＡＣヘッダのためのまったく同じ構造が、好ましくは前に説明されたレート間の直交性を維持しながら、すべてのレートのために使用される。
【０２５０】
（１つまたは複数の）より高いレートにおいて送信される（１つまたは複数の）ＭＡＣヘッダは、第１のＭＡＣヘッダの送信と比較して連続的に遅延される。（１つまたは複数の）より高いレートにおいて送信される（１つまたは複数の）ＭＡＣヘッダに適用される遅延は、一般に、受信機が、前のアドレスフィールドを処理し、その中で受信機がアドレス指定されていないことを識別した後に、適用可能な（より高い）レートにおける処理に切り替えることができるように、選択されるべきである。
【０２５１】
代替手法は、規定されたパケットタイプによってではなく、特定のビットによって多重化を示すことである。この手法は、ＭＡＣヘッダ中で利用可能な予約済みビット、レガシーデバイスによって無視されるビットがある場合、容易に実装され得る。その場合、２つ以上の信号の多重化が、レガシーデバイスにとって透過的であろうやり方で実装され得る。
【０２５２】
１つの他の例では、多重化が明示的に示されない。この例によれば、多重化は、パケットが送信される前に、この特徴のネゴシエーションによってすでにサポートされており、その結果、多重化が可能なデバイスは、最初に、最も低いデータレートにおいて受信機を動作させることによってパケットを処理し、アドレスが見つけられない場合、上記の説明と同様に、それ自体のアドレスの継続的追求においてより高いデータレートに切り替えることになる。
【０２５３】
レガシー受信機は、この例では、多重化に気づいている必要がなく、ただ、最も低いデータレートにおいてパケットを処理し、アドレスが見つけられない場合、単に処理を中止することになる。
【０２５４】
この例が有用であり得る例示的なシナリオは、起動無線機に送信される起動信号のためにＯＯＫが使用されるときであり、その場合、多重化は、同じパケットを用いて２つ以上の起動無線機をアドレス指定する能力に対応するであろう。多重化のネゴシエートされる特徴は、そのようなシナリオでは、一般に、メイン無線機を使用して行われ得る。したがって、メイン無線機がオフになり、起動無線機がアクティブ化されると、起動無線機は、起動信号の多重化に気づき、それに応じて動作し得る。
【０２５５】
概して、比較的高いレートを使用するアドレスフィールドの前に比較的低いレートを使用するアドレスフィールドが送信されるように、信号を多重化することは、有利であるが、必要でないことがある。
【０２５６】
この手法による１つの利点は、（１つの同期ワードのみが使用される場合）最初に出現するアドレスフィールドのレートを示すために選択された同期ワードが、最も低いレートを含むすべてのレートにとって十分にロバストであることである。
【０２５７】
この手法による別の利点は、パケットの持続時間が低く保たれ得ることである。一般に、（生データサイズが、同じであるか、または少なくとも、データレート間の差異比率超だけ異ならないとすれば）高データレートを使用する信号は、低データレートを使用する信号よりも短い持続時間を有する。したがって、低いレートに関係するアドレスフィールドが時間的に最初に配置されるように、信号をスタッガすることは、多重化によりパケットを不必要に延長すること回避する。この原理は、図１２ｂに示されており、異なるメッセージフィールドの持続時間は、データレートがより高いことを反映するために比例して短くされる（とはいえ、ヘッダは、それらが一般にいくつかの実施形態では短くされ得るが、対応して短くされない）。
【０２５８】
本明細書で開示される実施形態のいくつかの変形態では、２つ以上のＷＵＳが、第１のＷＵＳと第２のＷＵＳとを備える。これらの変形態では、本方法は、第１のＷＵＳについて（および、第２のＷＵＳを除く、２つ以上のＷＵＳのうちの残りについて可能な）マンチェスターコーディングシンボルレートを選択することと、ＯＦＤＭ信号生成器と、選択されたマンチェスターコーディングシンボルレートのマンチェスターコードの適用とを使用して、第１のＷＵＳ（および、第２のＷＵＳを除く、ＷＵＳの残り）を生成することとを含む。これらの変形態では、本方法は、オンオフキーイングとＯＦＤＭ信号生成器とを使用して、第２のＷＵＳをマンチェスターコーディングされていないＷＵＳとして生成することと、ＷＵＳメッセージ中での送信のために、第１および第２のＷＵＳを多重化することとをさらに含む。
【０２５９】
図１３は、同じＷＵＳシンボルレートの２つのＷＵＳ、マンチェスターコーディングされたＷＵＳ１３１０およびマンチェスターコーディングされていないＷＵＳ１３２０を多重化することを示す概略タイミング図である。結果は１３９０として示されており、この信号は、マンチェスターコーディングされたＷＵＳ１３１０を復調するＷＵＲに対して透過的である。この場合、ＯＯＫシンボルレートは、マンチェスターコーディングシンボルレートとは２のべき乗係数関係にある必要がある。原則として、マンチェスターコーディングされていないＷＵＳと組み合わせられたマンチェスターコーディングを使用した１つのＷＵＳのみ（図示せず）を有することが考えられる。
【０２６０】
したがって、いくつかの実施形態は、マンチェスターコーディングされた信号の低複雑多重化のための方法および構成に関係する。２つ以上のＷＵＳが、単純な直交コードを使用することによって多重化され、周波数生成および／またはフィルタ処理に関して受信機に関する要件を増加させることを回避するために同じ周波数上で送信される。マンチェスターコーディングを使用した直交コードの構築は、信号の多重化が受信機に対して完全に透過的であることをもたらす。さらに、本手法は、レガシー受信機のための信号を用いた多重化を可能にするので、本手法は、規格化プロセス中の後の段階において導入され得る。
【０２６１】
特定のシステムが特定のパラメータを適用されるときのいくつかの例が、以下で提示される。これが説明のためのものにすぎず、限定するものではないことに留意されたい。
【０２６２】
これらの例では、システムがＩＥＥＥ８０２．１１に基づくことと、チャネル帯域幅が２０ＭＨｚであることと、信号を生成するために６４点逆高速フーリエ変換（ＩＦＦＴ）が使用されることと、直交周波数分割多重（ＯＦＤＭ）が使用されるときによくあるように、ＩＦＦＴ処理の後に、サイクリックプレフィックス（ＣＰ）が信号に追加されることとが仮定される。
【０２６３】
２０ＭＨｚチャネル帯域幅のためのＩＥＥＥ８０２．１１において使用されるサンプリングレートは、２０ＭＨｚであり、ＣＰの通常使用される長さは、１６サンプルまたは８００ｎｓであり、これは、ＯＦＤＭシンボルの持続時間が８０サンプルまたは４μｓに対応すること、すなわち、ＯＦＤＭシンボルレートが２５０ｋシンボル／ｓであることを意味する。
【０２６４】
ＷＵＳシンボルレートが１２５ｋシンボル／ｓ以下であるとき、ＩＦＦＴへの入力におけるＷＵＳは、存在する（非０）または不在である（０）のいずれかである。その場合、マンチェスターコーディングは、論理０を表すことによって簡単に達成され得、ＷＵＳが１シンボル（すなわち、４μｓ）の間不在であり、その後に、ＷＵＳが、次のシンボル、すなわち後に続く４μｓの間存在し、その結果、ＷＵＳシーケンス中の１情報ビットの持続時間は、４＋４＝８μｓであることになる（図３の３３０および図８の８０２／８０３代替形態と比較されたい）。ＷＵＳシンボルレートが、ＯＦＤＭシンボルレートのＮ（＝２ｍ）分の１である場合、ＷＵＳ信号は、マンチェスターコーディングされたビットをＩＦＦＴに入力する前に、マンチェスターコーディングされたビットを繰り返すことによって生成され得る（図３の３４０、３５０および図８の８０２／８０３代替形態と比較されたい）。
【０２６５】
ＷＵＳシンボルレートが１２５ｋシンボル／ｓよりも高いとき、マンチェスターコーディングはＩＦＦＴ処理の後に行われ得（図３の３１０、３２０および図８の８０１／８４３代替形態と比較されたい）、それによって、マンチェスターコーディングブロック（図８の８６０）は、ＩＦＦＴブロックによって生成された信号の部分を効果的にマスキングする。一例として、ＷＵＳシンボルレートが２５０ｋシンボル／ｓであるべきである場合、マンチェスターコーディングされたシンボルが４μｓごとに作り出される必要がある。これは、それぞれ論理０および論理１を表すために、４μｓ信号の前半をマスキングすることまたは４μｓシンボルの後半をマスキングすることのいずれかによって達成され得る。マスキングは、様々なやり方で行われ得る。たとえば、対応するサンプルは、送信された信号のより良好なスペクトル性質を取得するために、平滑化ウィンドウ処理関数の適用を用いてまたは用いずに簡単に０にセットされ得る。
【０２６６】
前述のように、マンチェスターコーディングは、前方誤り訂正（ＦＥＣ）コードの適用によって補足され得、ＦＥＣコーディングは、一般に、マンチェスターコーディングより前に実施される。
【０２６７】
上記で示されたように、異なるマンチェスターコーディングシンボルレートのマンチェスターコーディングされた信号は、上記で説明されたように互いに直交するＷＵＳの作成を可能にする、本質的に同じハードウェアを使用して生成され得る。成分信号を多重化した後の複合信号（たとえば４６０および５６０）は、送信機中のすべての関連するブロックが線形であるので、単に成分信号の和にすぎない。
【０２６８】
図４に戻ると、次に、２５０ｋシンボル／ｓのＯＦＤＭシンボルレートを仮定して、４２０および４３０の復調が調査される。４３０が、４２０の各マンチェスターコーディングされたシンボル中に常に一定であるので、４２０の（前に説明された）マンチェスター復調は、４３０の影響を受けない。４３０の復調では、４２０は常に、４２０のシンボル全体マンチェスターコーディングされたシンボルにわたって、４３０についてｒ１およびｒ２の各々が計算されるので、等しい電力量でｒ１およびｒ２に寄与する。
【０２６９】
直交性は、さらにＦＥＣコードが採用される場合、影響を受けないことに留意されたい。マンチェスターコーディングとは無関係にＦＥＣコードを追加する可能性は、極めて有益であり、本明細書で提示される手法の有用性を大幅に拡張する。
【０２７０】
各追加されたＷＵＳについて連続的にＷＵＳシンボル持続時間を２の係数分だけ減少させることによって、マンチェスターコーディングによって多数の直交シーケンスが取得され得る。しかしながら、これらのＷＵＳの性能は、ますます不十分になる。これは、ＷＵＳシンボルごとの受信信号電力、したがって、対応する受信信号対雑音比（ＳＮＲ）が、ＷＵＳシンボルレートが２倍になるごとに３ｄＢだけ減少することになるからである。これは、ＦＥＣコードの適用によって相殺され得、これは、ただＦＥＣコードのための好適なレートを選定することによって、ＷＵＳシンボルレートとは異なるＷＵＳデータレートをもつＷＵＳの送信のために、ＷＵＳシンボルレートを使用することを可能にする。
【０２７１】
ＦＥＣコードが適用される一例では、２つのＷＵＳが多重化されるべきであり、両方が２５０ｋシンボル／ｓのＷＵＳデータレートを有することが仮定される。これは、それぞれのレート、２５０ｋシンボル／ｓおよび５００ｋシンボル／ｓを有するマンチェスターコーディングされたシーケンスを使用することによって達成され得、ここで、後者にレート１／２のＦＥＣが適用され、したがって、ＷＵＳデータレートは所望の２５０ｋシンボル／ｓである。
【０２７２】
低減されたレートのマンチェスターコードは、より高いレートのマンチェスターコードの反復コードとして見られ得る。反復コードを用いるよりも、たとえば畳み込みコードまたは代数ブロックコードを用いて、より良好なコーディング性能を取得することが可能であることは、一般に知られているので、シンボルレートを増加させ、同時に、対応してＦＥＣコードのコードレートを減少させることが、複雑さのわずかな増加という犠牲を払って性能を増加させるための手段である。
【０２７３】
マンチェスターコーディングとＦＥＣコーディングとの組合せは、大きいフレキシビリティを与える。特に、その組合せは、同じＷＵＳデータレートがいくつかの受信機のために使用されることを可能にする。しかしながら、時々、異なるＷＵＳデータレートを使用することが望ましいことがある。たとえば、第１の信号（ｓ１）によってターゲットにされた受信機は、かなり不十分なチャネル状態を有するが、第２の信号（ｓ２）によってターゲットにされた受信機は、より好都合なチャネル状態を有するとき、ｓ１よりもｓ２のためにより高いＷＵＳデータレートを使用することが、適切であり得る。
【０２７４】
異なるユーザへのデータを多重化することが望ましいことがあるが、同期を取得するためにすべてのユーザに同じ信号を使用させることが有利であり得る。これの理由は、総送信電力が一般に限定されるであろうこと、およびいくつかの直交同期シーケンスが（各ターゲットにされたユーザに対して１つ）使用されるべきである場合、各個々の同期シーケンスのために使用され得る電力は、対応して低減されるであろうことである。考慮される必要がある別の実際的側面は、各受信機についてどのマンチェスターコーディングシンボルレートが選択されるべきであるかである。図１２で提示されたかなり一般的なパケット（またはメッセージ）構造は、同期に対処するために使用され得る。
【０２７５】
（たとえば同期ワードと示される）パケットの第１の部分は、受信機の同期のために使用される。この第１の部分は、パケット検出、高精度時間同期、および周波数推定を可能にし得る。同期ワードは、一般に、受信機が相関器によって探索しているであろう、知られている信号であり得る。
【０２７６】
いくつかの例では、受信機は、同期ワードが見つけられると、パケットのヘッダ部分を復調することによって処理を続け得る。パケットヘッダは、パケット持続時間、ＷＵＳデータレート、およびＦＥＣコードパラメータのような情報を含んでいることがある。
【０２７７】
代替または追加として、そのような情報は、伝達されるべき情報に応じて異なる同期ワードが使用され得るという意味で、同期ワード中に備えられ得る。その場合、ヘッダ部分が省略され得る。
【０２７８】
直交するであろう同期ワードを作成するための１つのやり方は、上記で説明された手法を使用することによるものである。同期ワード作成のための別の代替形態は、良好な自己相関性質をもつシーケンス、たとえば最大長シフトレジスタ（ＭＬＳＲ）によって生成された最大長擬似雑音（ＰＮ）シーケンスを使用することである。
【０２７９】
パケットによってターゲットにされたすべての受信機のために同じ同期ワードが使用されると仮定すると、ヘッダが、上記で説明された直交マンチェスターコーディングを使用して符号化され得るか、またはすべてのデバイスがヘッダを読み取り得、個々の受信機をターゲットにするために明示的情報がヘッダ中に含められ得るかのいずれかであり得る。
【０２８０】
受信機がヘッダを復調すると、受信機は、パケットのＷＵＳデータ部分を復調するために必要な情報（たとえばマンチェスターコーディングシンボルレートおよびＦＥＣコーディングパラメータ）を有する。
【０２８１】
概して、本明細書で構成に言及するとき、構成は、物理的製品、たとえば、装置として理解されるべきである。物理的製品は、１つまたは複数のコントローラの形態の制御回路要素、１つまたは複数のプロセッサなど、１つまたは複数の部分を備え得る。
【０２８２】
説明される実施形態およびそれらの等価物は、ソフトウェアまたはハードウェアあるいはそれらの組合せで実現され得る。実施形態は、汎用回路要素によって実施され得る。汎用回路要素の例は、デジタル信号プロセッサ（ＤＳＰ）、中央処理ユニット（ＣＰＵ）、コプロセッサユニット、フィールドプログラマブルゲートアレイ（ＦＰＧＡ）および他のプログラマブルハードウェアを含む。代替または追加として、実施形態は、特定用途向け集積回路（ＡＳＩＣ）などの特殊な回路要素によって実施され得る。汎用回路要素および／または特殊な回路要素は、たとえば、無線受信機（たとえば、ＳＴＡなど、無線通信デバイス）または無線送信機（たとえば、ＡＰなど、ネットワークノード）など、装置に関連するか、または装置中に備えられ得る。
【０２８３】
実施形態は、本明細書で説明される実施形態のいずれかによる、構成、回路要素、および／または論理を備える（無線送信機または無線受信機などの）電子装置内に現れ得る。代替または追加として、（無線送信機、無線通信デバイス、無線受信機またはネットワークノードなどの）電子装置は、本明細書で説明される実施形態のいずれかによる方法を実施するように設定され得る。
【０２８４】
いくつかの実施形態によれば、コンピュータプログラム製品は、たとえば、ユニバーサルシリアルバス（ＵＳＢ）メモリ、プラグインカード、組込みドライブ、または読取り専用メモリ（ＲＯＭ）など、コンピュータ可読媒体を備える。図１４は、コンパクトディスク（ＣＤ）ＲＯＭ１４００の形態の例示的なコンピュータ可読媒体を示す。コンピュータ可読媒体は、プログラム命令を備えるコンピュータプログラムを記憶している。コンピュータプログラムは、たとえば、無線送信機、無線通信デバイス、無線受信機またはネットワークノード１４１０中に備えられ得る、データプロセッサ（ＰＲＯＣ）１４２０にロード可能である。データ処理ユニットにロードされたとき、コンピュータプログラムは、データ処理ユニットに関連するか、またはデータ処理ユニット中に備えられるメモリ（ＭＥＭ）１４３０に記憶され得る。いくつかの実施形態によれば、コンピュータプログラムは、データ処理ユニットにロードされ、データ処理ユニットによって動作させられたとき、たとえば、図２、図２ａ、図６、図６ａに示されているまたは本明細書で別段に説明される方法のいずれかによる、方法ステップの実行を引き起こし得る。
【０２８５】
概して、本明細書で使用されるすべての用語は、異なる意味が、明確に与えられ、および／またはそれが使用されるコンテキストから暗示されない限り、関連する技術分野における、それらの用語の通常の意味に従って解釈されるべきである。
【０２８６】
様々な実施形態への参照が本明細書で行われた。ただし、当業者は、特許請求の範囲内に依然として入るであろう、説明される実施形態への多数の変形形態を認識するであろう。
【０２８７】
たとえば、本明細書で説明される方法実施形態は、ある順序で実施されるステップを通して例示的な方法を開示する。しかしながら、特許請求の範囲から逸脱することなく、イベントのこれらのシーケンスが別の順序で行われ得ることを認識されたい。さらに、いくつかの方法ステップは、順次実施されるものとして説明されたが、それらの方法ステップは並列に実施され得る。したがって、本明細書で開示されるいずれの方法のステップも、ステップが、別のステップに後続するかまたは先行するものとして明示的に説明されない限り、および／あるいはステップが別のステップに後続するかまたは先行しなければならないことが暗黙的である場合、開示される厳密な順序で実施される必要はない。
【０２８８】
同様の様式で、実施形態の説明において、特定のユニットへの機能ブロックの区分は決して限定的なものとして意図されないことに留意されたい。これに反して、これらの区分は例にすぎない。１つのユニットとして本明細書で説明される機能ブロックは、２つ以上のユニットに分けられ得る。さらに、２つ以上のユニットとして実装されるものとして本明細書で説明される機能ブロックは、より少数の（たとえば、単一の）ユニットにマージされ得る。
【０２８９】
本明細書で開示される実施形態のいずれかの任意の特徴は、好適であればいかなる場合も、任意の他の実施形態に適用され得る。同じように、実施形態のいずれかの任意の利点は、任意の他の実施形態に適用され得、その逆も同様である。
【０２９０】
したがって、説明された実施形態の詳細は、説明のために提案された例にすぎず、項目の範囲内に入るすべての変形形態は、その範囲に包含されるものとすることを理解されたい。
【０２９１】
本開示の少なくとも部分が、以下の項目によって要約され得る。
１．  ２つ以上の信号の同時送信のためのパケット（１２００ｂ）を準備するための、無線送信機の方法であって、各信号が、メッセージ（１２３０ｂ、１２３０ｃ、１２３０ｄ）と、メッセージの対象とする受信機を示すプリペンドされたアドレスフィールド（１２２５ｂ、１２２５ｃ、１２２５ｄ）とを備え、本方法は、
少なくとも部分的に互いに重複するように時間的に２つ以上の信号を編成することによって、パケット中での送信のために２つ以上の信号を多重化すること（２３０ａ）を含み、２つ以上の信号を編成することが、時間的にアドレスフィールドをスタッガすることを含む、方法。
２．  多重化された２つ以上の信号に、共通の同期部分（１２１０ｂ）をプリペンドすること（２４０ａ）をさらに含む、項目１に記載の方法。
３．  対象とする受信機をアドレス指定する、パケットを送信すること（２５０ａ）をさらに含む、項目１または２に記載の方法。
４．  ２つ以上の信号の各々が、オンオフキーイング（ＯＯＫ）またはバイナリ周波数シフトキーイング（ＢＦＳＫ）の適用によって生成される、項目１から３のいずれか１つに記載の方法。
５．  ２つ以上の信号が２つ以上の起動信号（ＷＵＳ）である、項目１から４のいずれか１つに記載の方法。
６．  ２つ以上の信号の各々の生成のためにそれぞれのシンボルレートを選択すること（２１０ａ）であって、選択されたそれぞれのシンボルレートのすべてが、互いに異なる、それぞれのシンボルレートを選択すること（２１０ａ）と、
アドレスフィールドとメッセージとへの選択されたそれぞれのシンボルレートの適用によって２つ以上の信号の各々を生成すること（２２０ａ）と
をさらに含む、項目１から４のいずれか１つに記載の方法。
７．  時間的にアドレスフィールドをスタッガすることが、選択されたそれぞれのシンボルレートのうちの最も低いシンボルレートの適用によって生成された、信号のアドレスフィールド（１２２５ｂ）で開始することを含む、項目６に記載の方法。
８．  時間的にアドレスフィールドをスタッガすることが、選択されたそれぞれのシンボルレートの昇順に対応する順序で、時間的にアドレスフィールドをスタッガすることを含む、項目７に記載の方法。
９．  それぞれのシンボルレートを選択することが、選択されたそれぞれのシンボルレートのペアを２のｎ乗の係数だけ異ならせることを含み、ここでｎが整数である、項目６から８のいずれか１つに記載の方法。
１０．  それぞれのシンボルレートが、それぞれのマンチェスターコーディングシンボルレートである、項目６から９のいずれか１つに記載の方法。
１１．  選択されたそれぞれのマンチェスターコーディングシンボルレートを有するすべてのマンチェスターコードが、互いに直交する、項目１０に記載の方法。
１２．  同時に送信された２つ以上の多重化された信号を備える受信されたパケット（１２２５ｂ）を処理するための、無線受信機の方法であって、各信号が、メッセージ（１２３０ｂ、１２３０ｃ、１２３０ｄ）と、メッセージの対象とする受信機を示すプリペンドされたアドレスフィールド（１２２５ｂ、１２２５ｃ、１２２５ｄ）とを備え、２つ以上の信号が少なくとも部分的に時間的に互いに重複し、アドレスフィールドが時間的にスタッガされ、本方法は、
アドレスフィールドのうちの第１のアドレスフィールド（１２２５ｂ）について、第１のアドレスフィールドの対象とする受信機が無線受信機であるかどうかを決定すること（６４０ａ）と、
第１のアドレスフィールドの対象とする受信機が無線受信機であるとき、第１のアドレスフィールドを備える２つ以上の信号のうちの第１の信号を復調すること（６３０ａ）と
を含む、方法。
１３．  第１のアドレスフィールドの対象とする受信機が無線受信機でないとき、アドレスフィールドのうちの第２のアドレスフィールド（１２２５ｃ、１２２５ｄ）について、第２のアドレスフィールドの対象とする受信機が無線受信機であるかどうかを決定すること（６４０ａ）と、
第２のアドレスフィールドの対象とする受信機が無線受信機であるとき、第２のアドレスフィールドを備える２つ以上の信号のうちの第２の信号を復調すること（６３０ａ）と
をさらに含む、項目１２に記載の方法。
１４．  ２つ以上の信号のそれぞれのシンボルレートが互いに異なり、アドレスフィールドが時間的にスタッガされ、それぞれのシンボルレートのうちの最も低いシンボルレートを有する信号のアドレスフィールドで開始し、本方法は、
第１の信号のシンボルレートよりも高いシンボルレートとして、第２の信号のシンボルレートを識別すること（６２１ａ）と、
第２のアドレスフィールドの対象とする受信機が無線受信機であるかどうかを決定するために、第２の信号の識別されたシンボルレートを使用することと
をさらに含む、項目１３に記載の方法。
１５．  受信されたパケットが、多重化された２つ以上の信号にプリペンドされた共通の同期部分（１２１０ｂ）をさらに備え、本方法は、
共通の同期部分から第１の信号のシンボルレートを識別すること（６２０ａ）と、
第１のアドレスフィールドの対象とする受信機が無線受信機であるかどうかを決定するために、第１の信号の識別されたシンボルレートを使用することと
をさらに含む、項目１４に記載の方法。
１６．  ２つ以上の信号が２つ以上の起動信号（ＷＵＳ）であり、無線受信機が起動無線機（ＷＵＲ）である、項目１２から１５のいずれか１つに記載の方法。
１７．  プログラム命令を備えるコンピュータプログラムが格納された、非一時的コンピュータ可読媒体（１３００）を備えるコンピュータプログラム製品であって、コンピュータプログラムは、データ処理ユニットにロード可能であり、コンピュータプログラムがデータ処理ユニットによって動作させられたとき、項目１から１６のいずれか１つに記載の方法の実行を引き起こすように設定された、コンピュータプログラム製品。
１８．  ２つ以上の信号の同時送信のためのパケット（１２００ｂ）を準備するための、無線送信機のための装置であって、各信号が、メッセージ（１２３０ｂ、１２３０ｃ、１２３０ｄ）と、メッセージの対象とする受信機を示すプリペンドされたアドレスフィールド（１２２５ｂ、１２２５ｃ、１２２５ｄ）とを備え、本装置は、
少なくとも部分的に互いに重複するように時間的に２つ以上の信号を編成することを引き起こすことによって、パケット中での送信のための２つ以上の信号の多重化を引き起こすように設定されたコントローラ（７００）を備え、２つ以上の信号を編成することが、時間的にアドレスフィールドをスタッガすることを含む、装置。
１９．  コントローラが、多重化された２つ以上の信号に、共通の同期部分（１２１０ｂ）をプリペンドすることを引き起こすようにさらに適応された、項目１８に記載の装置。
２０．  コントローラが、対象とする受信機をアドレス指定する、パケットの送信を引き起こすようにさらに適応された、項目１８または１９に記載の装置。
２１．  コントローラが、オンオフキーイング（ＯＯＫ）またはバイナリ周波数シフトキーイング（ＢＦＳＫ）の適用による、２つ以上の信号の各々の生成を引き起こすようにさらに適応された、項目１８から２０のいずれか１つに記載の装置。
２２．  ２つ以上の信号が２つ以上の起動信号（ＷＵＳ）である、項目１８から２１のいずれか１つに記載の装置。
２３．  コントローラは、
２つ以上の信号の各々の生成のためのそれぞれのシンボルレートの選択であって、選択されたそれぞれのシンボルレートのすべてが、互いに異なる、それぞれのシンボルレートの選択と、
アドレスフィールドとメッセージとへの選択されたそれぞれのシンボルレートの適用による、２つ以上の信号の各々の生成と
を引き起こすようにさらに適応された、項目１８から２２のいずれか１つに記載の装置。
２４．  時間的にアドレスフィールドをスタッガすることが、選択されたそれぞれのシンボルレートのうちの最も低いシンボルレートの適用によって生成された、信号のアドレスフィールド（１２２５ｂ）で開始することを含む、項目２３に記載の装置。
２５．  時間的にアドレスフィールドをスタッガすることが、選択されたそれぞれのシンボルレートの昇順に対応する順序で、時間的にアドレスフィールドをスタッガすることを含む、項目２４に記載の装置。
２６．  コントローラは、選択されたそれぞれのシンボルレートのペアが２のｎ乗の係数だけ異なることを引き起こすことによって、それぞれのシンボルレートの選択を引き起こすように適応され、ここでｎが整数である、項目２３から２５のいずれか１つに記載の装置。
２７．  それぞれのシンボルレートが、それぞれのマンチェスターコーディングシンボルレートである、項目２３から２６のいずれか１つに記載の装置。
２８．  選択されたそれぞれのマンチェスターコーディングシンボルレートを有するすべてのマンチェスターコードが、互いに直交する、項目２７に記載の装置。
２９．  項目１８から２８のいずれか１つに記載の装置を備える無線送信機ノード。
３０．  同時に送信された２つ以上の多重化された信号を備える受信されたパケット（１２２５ｂ）を処理するための、無線受信機のための装置であって、各信号が、メッセージ（１２３０ｂ、１２３０ｃ、１２３０ｄ）と、メッセージの対象とする受信機を示すプリペンドされたアドレスフィールド（１２２５ｂ、１２２５ｃ、１２２５ｄ）とを備え、２つ以上の信号が少なくとも部分的に時間的に互いに重複し、アドレスフィールドが時間的にスタッガされ、本装置は、
アドレスフィールドのうちの第１のアドレスフィールド（１２２５ｂ）について、第１のアドレスフィールドの対象とする受信機が無線受信機であるかどうかの決定と、
第１のアドレスフィールドの対象とする受信機が無線受信機であることに応答する、第１のアドレスフィールドを備える２つ以上の信号のうちの第１の信号の復調と
を引き起こすように設定されたコントローラ（９００ｂ）を備える、装置。
３１．  コントローラは、
第１のアドレスフィールドの対象とする受信機が無線受信機でないことに応答する、アドレスフィールドのうちの第２のアドレスフィールド（１２２５ｃ、１２２５ｄ）について、第２のアドレスフィールドの対象とする受信機が無線受信機であるかどうかの決定と、
第２のアドレスフィールドの対象とする受信機が無線受信機であることに応答する、第２のアドレスフィールドを備える２つ以上の信号のうちの第２の信号の復調と
を引き起こすようにさらに適応された、項目３０に記載の装置。
３２．  ２つ以上の信号のそれぞれのシンボルレートが互いに異なり、アドレスフィールドが時間的にスタッガされ、それぞれのシンボルレートのうちの最も低いシンボルレートを有する信号のアドレスフィールドで開始し、コントローラは、
第１の信号のシンボルレートよりも高いシンボルレートとしての、第２の信号のシンボルレートの識別と、
第２のアドレスフィールドの対象とする受信機が無線受信機であるかどうかの決定のために、第２の信号の識別されたシンボルレートを使用することと
を引き起こすようにさらに適応された、項目３１に記載の装置。
３３．  受信されたパケットが、多重化された２つ以上の信号にプリペンドされた共通の同期部分（１２１０ｂ）をさらに備え、コントローラは、
共通の同期部分からの第１の信号のシンボルレートの識別と、
第１のアドレスフィールドの対象とする受信機が無線受信機であるかどうかの決定のために、第１の信号の識別されたシンボルレートを使用することと
を引き起こすようにさらに適応された、項目３２に記載の装置。
３４．  ２つ以上の信号が２つ以上の起動信号（ＷＵＳ）であり、無線受信機が起動無線機（ＷＵＲ）である、項目３０から３３のいずれか１つに記載の装置。
３５．  項目３０から３３のいずれか１つに記載の装置を備える無線受信機。
【図１】
2020533848.tif 000006
【図２】
2020533848.tif 000007
【図２ａ】
2020533848.tif 000008
【図３】
2020533848.tif 000009
【図４】
2020533848.tif 000010
【図５】
2020533848.tif 000011
【図６】
2020533848.tif 000012
【図６ａ】
2020533848.tif 000013
【図７】
2020533848.tif 000014
【図８】
2020533848.tif 000015
【図９Ａ】
2020533848.tif 000016
【図９Ｂ】
2020533848.tif 000017
【図１０】
2020533848.tif 000018
【図１１】
2020533848.tif 000019
【図１２】
2020533848.tif 000020
【図１２ａ】
2020533848.tif 000021
【図１２ｂ】
2020533848.tif 000022
【図１２ｃ】
2020533848.tif 000023
【図１３】
2020533848.tif 000024
【図１４】
2020533848.tif 000025
【国際調査報告】
2020533848.tif 000026
2020533848.tif 000027
2020533848.tif 000028